(57)【要約】  ワイヤレス通信における節電のための方法、システム、およびデバイスについて説明する。一態様は、送信のためのスリープ持続時間の指示をワイヤレスノードに提供するステップと、ターゲット起動時間(TWT)の間にワイヤレスノードと通信するステップであって、通信が、送信のためのデータをワイヤレスノードに提供すること、またはワイヤレスノードから受信されるデータを取得することのうちの少なくとも1つを含む、通信するステップと、通信のタイミングに少なくとも部分的に基づいて、少なくとも示されたスリープ持続時間の間に送信のためのデータをワイヤレスノードに提供することを控えるステップとを含む。別の態様は、ワイヤレスノードからスリープ持続時間の指示を受信するステップと、TWTのタイムスロットの間にワイヤレスノードと通信するステップと、TWTのタイムスロットの間のワイヤレスノードとの通信のタイミングに少なくとも部分的に基づいて、示されたスリープ持続時間にわたってスリープモードに入るステップとを含む。
2018525933.tif 000002
【特許請求の範囲】
【請求項１】
ワイヤレス通信のための方法であって、
送信のためのスリープ持続時間の指示をワイヤレスノードに提供するステップと、
ターゲット起動時間(TWT)の間に前記ワイヤレスノードと通信するステップであって、前記通信が、送信のためのデータを前記ワイヤレスノードに提供すること、または前記ワイヤレスノードから受信されるデータを取得することのうちの少なくとも1つを含む、通信するステップと、
前記通信のタイミングに少なくとも部分的に基づいて、少なくとも前記指示されたスリープ持続時間の間に送信のためのデータを前記ワイヤレスノードに提供することを控えるステップと
を含む、方法。
【請求項２】
送信のための前記スリープ持続時間の前記指示を前記ワイヤレスノードに提供する前記ステップが、
その中に前記スリープ持続時間の前記指示を有するTWTセットアップ要求フレームを生成するステップと、
送信のために前記TWTセットアップ要求フレームを前記ワイヤレスノードに提供するステップと
をさらに含む、請求項1に記載の方法。
【請求項３】
送信のための前記スリープ持続時間の前記指示を前記ワイヤレスノードに提供する前記ステップが、
前記TWTのタイムスロットの間にTWT信号フレームを生成するステップと、
送信のための前記TWT信号フレームを提供するステップと
をさらに含み、
前記TWT信号フレームが、前記TWTの前記タイムスロットまたは前記スリープ持続時間のうちの少なくとも1つの間にサービスされることになる少なくとも1つのワイヤレスノードを特定するサービスリストを含む、請求項1に記載の方法。
【請求項４】
ビーコンフレーム内に前記スリープ持続時間の前記指示を有する前記ビーコンフレームを生成するステップ
をさらに含み、
送信のための前記スリープ持続時間の前記指示を前記ワイヤレスノードに提供する前記ステップが、ブロードキャスト送信のために前記ビーコンフレームを提供するステップをさらに含む
請求項1に記載の方法。
【請求項５】
ネットワーク輻輳に少なくとも部分的に基づいて、前記ワイヤレスノードに関するサービスなし期間を決定するステップをさらに含み、前記スリープ持続時間の前記指示が前記サービスなし期間を特定する
請求項1に記載の方法。
【請求項６】
前記サービスなし期間を前記TWTの割振りと整合させるために、前記ワイヤレスノードを含むワイヤレスノードのセットに関する前記TWTの前記割振りを選択するステップ
をさらに含む、請求項5に記載の方法。
【請求項７】
前記ワイヤレスノードを含むワイヤレスノードの数に関連する総スループットレベルに少なくとも部分的に基づいて、前記スリープ持続時間を決定するステップ
をさらに含む、請求項1に記載の方法。
【請求項８】
前記スリープ持続時間を更新するステップと、
時間的に前記TWTの後に生じる第2のTWTの間に、送信のための前記更新されたスリープ持続時間の指示を前記ワイヤレスノードに提供するステップと
をさらに含む、請求項1に記載の方法。
【請求項９】
ワイヤレス通信のための装置であって、
送信のためのスリープ持続時間の指示をワイヤレスノードに提供するように構成されたインターフェースと、
機構であって、
ターゲット起動時間(TWT)の間に前記ワイヤレスノードと通信することであって、前記通信が、送信のためのデータを前記ワイヤレスノードに提供すること、または前記ワイヤレスノードから受信されるデータを取得することのうちの少なくとも1つを含む、通信することと、
前記通信のタイミングに少なくとも部分的に基づいて、少なくとも前記指示されたスリープ持続時間の間に送信のためのデータを前記ワイヤレスノードに提供することを控えることと
を行うように構成された機構と
を含む、装置。
【請求項１０】
前記機構が、その中に前記スリープ持続時間の前記指示を有するTWTセットアップ要求フレームを生成するようにさらに構成され、前記インターフェースが、送信のために前記TWTセットアップ要求フレームを提供するようにさらに構成される、請求項9に記載の装置。
【請求項１１】
前記機構が、前記TWTのタイムスロットの間にTWT信号フレームを生成し、送信のための前記TWT信号フレームを提供するようにさらに構成され、前記TWT信号フレームが、前記TWTの前記タイムスロットまたは前記スリープ持続時間のうちの少なくとも1つの間にサービスされることになる少なくとも1つのワイヤレスノードを特定するサービスリストを含む、請求項9に記載の装置。
【請求項１２】
前記機構が、ビーコンフレーム内に前記スリープ持続時間の前記指示を有する前記ビーコンフレームを生成するようにさらに構成され、前記インターフェースが、ブロードキャスト送信のために前記ビーコンフレームを提供するようにさらに構成される、請求項9に記載の装置。
【請求項１３】
前記機構が、ネットワーク輻輳に少なくとも部分的に基づいて、前記ワイヤレスノードに関するサービスなし期間を決定するようにさらに構成され、前記スリープ持続時間の前記指示が前記サービスなし期間を特定する、請求項9に記載の装置。
【請求項１４】
前記機構が、前記サービスなし期間を前記TWTの割振りと整合させるために、前記ワイヤレスノードを含むワイヤレスノードのセットに関する前記TWTの前記割振りを選択するようにさらに構成される、請求項13に記載の装置。
【請求項１５】
前記機構が、前記ワイヤレスノードを含むワイヤレスノードの数に関連する総スループットレベルに少なくとも部分的に基づいて、前記スリープ持続時間を決定するようにさらに構成される、請求項9に記載の装置。
【請求項１６】
前記機構が、前記スリープ持続時間を更新するようにさらに構成され、
前記インターフェースが、時間的に前記TWTの後に生じる第2のTWTの間に、送信のための前記更新されたスリープ持続時間の指示を前記ワイヤレスノードに提供するようにさらに構成される、請求項9に記載の装置。
【請求項１７】
アクセスポイントであって、
送信のためのスリープ持続時間の指示をワイヤレスノードに送信するように構成されたトランシーバと、
機構であって、
ターゲット起動時間(TWT)の間に前記ワイヤレスノードと通信することであって、前記通信が、前記ワイヤレスノードにデータを送信すること、または前記ワイヤレスノードからデータを受信することのうちの少なくとも1つを含む、通信することと、
前記通信のタイミングに少なくとも部分的に基づいて、少なくとも前記指示されたスリープ持続時間の間に前記ワイヤレスノードに送信することを控えることと
を行うように構成された機構と
を含む、アクセスポイント。
【請求項１８】
ワイヤレス通信のための装置であって、
送信のためのスリープ持続時間の指示をワイヤレスノードに提供するための手段と、
ターゲット起動時間(TWT)の間に前記ワイヤレスノードと通信するための手段であって、前記通信が、送信のためのデータを前記ワイヤレスノードに提供すること、または前記ワイヤレスノードから受信されるデータを取得することのうちの少なくとも1つを含む、通信するための手段と、
前記通信のタイミングに少なくとも部分的に基づいて、少なくとも前記指示されたスリープ持続時間の間に送信のためのデータを前記ワイヤレスノードに提供することを控えるための手段と
を含む、装置。
【請求項１９】
前記スリープ持続時間の前記指示を提供するための前記手段が、
その中に前記スリープ持続時間の前記指示を有するTWTセットアップ要求フレームを生成するための手段と、
送信のために前記TWTセットアップ要求フレームを提供するための手段と
をさらに含む、請求項18に記載の装置。
【請求項２０】
前記スリープ持続時間の前記指示を提供するための前記手段が、
前記TWTのタイムスロットの間にTWT信号フレームを生成するための手段と、
送信のために前記TWT信号フレームを提供するための手段と
をさらに含み、
前記TWT信号フレームが、前記TWTの前記タイムスロットまたは前記スリープ持続時間のうちの少なくとも1つの間にサービスされることになる少なくとも1つのワイヤレスノードを特定するサービスリストを含む、請求項18に記載の装置。
【請求項２１】
ビーコンフレーム内に前記スリープ持続時間の前記指示を有する前記ビーコンフレームを生成するための手段
をさらに含み、
送信のための前記スリープ持続時間の前記指示を前記ワイヤレスノードに提供するための前記手段が、
ブロードキャスト送信のために前記ビーコンフレームを提供するための手段をさらに含む、請求項18に記載の装置。
【請求項２２】
ネットワーク輻輳に少なくとも部分的に基づいて、前記ワイヤレスノードに関するサービスなし期間を決定するための手段をさらに含み、前記スリープ持続時間の前記指示が、前記サービスなし期間を特定し、前記サービスなし期間が前記ネットワーク輻輳に少なくとも部分的に基づいて選択される
請求項18に記載の装置。
【請求項２３】
前記サービスなし期間を前記TWTの割振りと整合させるために、前記ワイヤレスノードを含むワイヤレスノードのセットに関する前記TWTの前記割振りを選択するための手段
をさらに含む、請求項22に記載の装置。
【請求項２４】
前記ワイヤレスノードを含むワイヤレスノードの数に関連する総スループットレベルに少なくとも部分的に基づいて、前記スリープ持続時間を決定するための手段
をさらに含む、請求項18に記載の装置。
【請求項２５】
前記スリープ持続時間を更新するための手段と、
時間的に前記TWTの後に生じる第2のTWTの間に、送信のための前記更新されたスリープ持続時間の指示を前記ワイヤレスノードに提供するための手段と
をさらに含む、請求項18に記載の装置。
【請求項２６】
装置におけるワイヤレス通信のためのコードを記憶したコンピュータ可読記憶媒体であって、前記コードが、前記装置に、
送信のためのスリープ持続時間の指示をワイヤレスノードに提供することと、
ターゲット起動時間(TWT)の間に前記ワイヤレスノードと通信することであって、前記通信が、送信のためのデータを前記ワイヤレスノードに提供すること、または前記ワイヤレスノードから受信されるデータを取得することのうちの少なくとも1つを含む、通信することと、
前記通信のタイミングに少なくとも部分的に基づいて、少なくとも前記指示されたスリープ持続時間の間に送信のためのデータを前記ワイヤレスノードに提供することを控えることと
を行わせるために実行可能な命令を含む
コンピュータ可読記憶媒体。
【請求項２７】
ワイヤレス通信のための方法であって、
ワイヤレスノードから受信されるスリープ持続時間の指示を取得するステップと、
ターゲット起動時間(TWT)のタイムスロットの間に前記ワイヤレスノードと通信するステップであって、前記通信が、前記ワイヤレスノードから受信されるデータを取得すること、または送信のためのデータを前記ワイヤレスノードに提供することのうちの少なくとも1つを含む、通信するステップと、
前記TWTの前記タイムスロットの間の前記ワイヤレスノードとの前記通信のタイミングに少なくとも部分的に基づいて、前記指示されたスリープ持続時間にわたってスリープモードに入るステップと
を含む、方法。
【請求項２８】
前記スリープ持続時間の前記指示を取得するための前記ステップが、
前記ワイヤレスノードから受信されるビーコンフレームを取得するステップと、
前記ビーコンフレームから前記スリープ持続時間の前記指示を決定するステップと
をさらに含む、請求項27に記載の方法。
【請求項２９】
前記スリープ持続時間の前記指示を取得するための前記ステップが、
前記ワイヤレスノードから受信されるTWTセットアップ要求フレームを取得するステップと、
前記TWTセットアップ要求フレームから前記スリープ持続時間を決定するステップと
をさらに含む、請求項27に記載の方法。
【請求項３０】
前記TWTの前記タイムスロットの始めに前記スリープモードから起動するステップ
をさらに含む、請求項27に記載の方法。
【請求項３１】
前記ワイヤレスノードから受信される前記スリープ持続時間の前記指示を取得する前記ステップが、
前記TWTの前記タイムスロットの間に、前記ワイヤレスノードから受信されるTWT信号フレームを取得するステップであって、前記TWT信号フレームが、前記TWTの前記タイムスロットまたは前記スリープ持続時間のうちの少なくとも1つにおいてどのワイヤレスノードがサービスされることになるかを特定するサービスリストを含む、取得するステップ
をさらに含む、請求項27に記載の方法。
【請求項３２】
前記スリープ動作モードに入る前記ステップが、
前記サービスリストが前記TWTの前記タイムスロットに対して前記ワイヤレスノードを含まないと決定するステップと、
前記TWTの前記タイムスロットの残りにわたって前記スリープモードに入るステップと
をさらに含む、請求項31に記載の方法。
【請求項３３】
ワイヤレス通信のための装置であって、
ワイヤレスノードから受信されるスリープ持続時間の指示を取得するように構成されたインターフェースと、
機構であって、
ターゲット起動時間(TWT)のタイムスロットの間に前記ワイヤレスノードと通信することであって、前記通信が、前記ワイヤレスノードから受信されるデータを取得すること、または送信のためのデータを前記ワイヤレスノードに提供することのうちの少なくとも1つを含む、通信することと、
前記装置に、前記TWTの前記タイムスロットの間の前記ワイヤレスノードとの前記通信のタイミングに少なくとも部分的に基づいて、前記指示されたスリープ持続時間にわたってスリープモードに入らせることと
を行うように構成された機構と
を含む、装置。
【請求項３４】
前記インターフェースが、前記ワイヤレスノードから受信されるビーコンフレームを取得するようにさらに構成され、前記機構が、前記ビーコンフレームから前記スリープ持続時間の前記指示を決定するようにさらに構成される、請求項33に記載の装置。
【請求項３５】
前記インターフェースが、前記ワイヤレスノードから受信されるTWTセットアップ要求フレームを取得するようにさらに構成され、前記機構が、前記TWTセットアップ要求フレームから前記スリープ持続時間を決定するようにさらに構成される、請求項33に記載の装置。
【請求項３６】
前記機構が、前記TWTの前記タイムスロットの始めに前記スリープモードから起動するようにさらに構成される、請求項33に記載の装置。
【請求項３７】
前記インターフェースが、前記TWTの前記タイムスロットの間に前記ワイヤレスノードから受信されるTWT信号フレームを取得することであって、前記TWT信号フレームが、前記TWTの前記タイムスロットまたは前記スリープ持続時間のうちの少なくとも1つにおいてどのワイヤレスノードがサービスされることになるか特定するサービスリストを含む、取得することを行うようにさらに構成される、請求項33に記載の装置。
【請求項３８】
前記機構が、前記サービスリストに少なくとも部分的に基づいて、前記サービスリストが前記TWTの前記タイムスロットに対して前記装置を含まないと決定することと、
前記装置に、前記TWTの前記タイムスロットの残りにわたって前記スリープモードに入らせることと
を行うようにさらに構成される、請求項37に記載の装置。
【請求項３９】
アクセス端末であって、
ワイヤレスノードからスリープ持続時間の指示を受信するように構成されたトランシーバと、
機構であって、
ターゲット起動時間(TWT)のタイムスロットの間に前記ワイヤレスノードと通信することであって、前記通信が、前記ワイヤレスノードから受信されるデータを取得すること、または送信のためのデータを前記ワイヤレスノードに提供することのうちの少なくとも1つを含む、通信することと、
前記アクセス端末に、前記TWTの前記タイムスロットの間の前記ワイヤレスノードとの前記通信のタイミングに少なくとも部分的に基づいて、前記指示されたスリープ持続時間にわたってスリープモードに入らせることと
を行うように構成された機構と
を含む、アクセス端末。
【請求項４０】
ワイヤレス通信のための装置であって、
ワイヤレスノードから受信されるスリープ持続時間の指示を取得するための手段と、
ターゲット起動時間(TWT)のタイムスロットの間に前記ワイヤレスノードと通信するための手段であって、前記通信が、前記ワイヤレスノードから受信されるデータを取得すること、または送信のためのデータを前記ワイヤレスノードに提供することのうちの少なくとも1つを含む、通信するための手段と、
前記TWTの前記タイムスロットの間の前記ワイヤレスノードとの前記通信のタイミングに少なくとも部分的に基づいて、前記指示されたスリープ持続時間にわたってスリープモードに入るための手段と
を含む、装置。
【請求項４１】
前記ワイヤレスノードから受信される前記スリープ持続時間の前記指示を取得するための前記手段が、
前記ワイヤレスノードから受信されるビーコンフレームを取得するための手段と、
前記ビーコンフレームから前記スリープ持続時間の前記指示を決定するための手段と
をさらに含む、請求項40に記載の装置。
【請求項４２】
前記ワイヤレスノードから受信される前記スリープ持続時間の前記指示を取得するための前記手段が、
前記ワイヤレスノードから受信されるTWTセットアップ要求フレームを取得するための手段と、
前記TWTセットアップ要求フレームから前記スリープ持続時間を決定するための手段と
をさらに含む、請求項40に記載の装置。
【請求項４３】
前記TWTの前記タイムスロットの始めに前記スリープモードから起動するための手段
をさらに含む、請求項40に記載の装置。
【請求項４４】
前記ワイヤレスノードから受信される前記スリープ持続時間の前記指示を取得するための前記手段が、
前記TWTの前記タイムスロットの間に前記ワイヤレスノードから受信されるTWT信号フレームを取得するための手段であって、前記TWT信号フレームが、前記TWTの前記タイムスロットまたは前記スリープ持続時間のうちの少なくとも1つにおいてどのワイヤレスノードがサービスされることになるかを特定するサービスリストを含む、取得するための手段
をさらに含む、請求項40に記載の装置。
【請求項４５】
前記スリープモードに入るための前記手段が、
前記サービスリストが前記TWTの前記タイムスロットに対して前記装置を含まないと決定するための手段と、
前記装置が前記TWTの前記タイムスロットの残りにわたって前記スリープモードに入るための手段と
をさらに含む、請求項44に記載の装置。
【請求項４６】
装置におけるワイヤレス通信のためのコードを記憶したコンピュータ可読記憶媒体であって、前記コードが、前記装置に、
ワイヤレスノードから受信されるスリープ持続時間の指示を取得することと、
ターゲット起動時間(TWT)のタイムスロットの間に前記ワイヤレスノードと通信することであって、前記通信が、前記ワイヤレスノードから受信されるデータを取得すること、または送信のためのデータを前記ワイヤレスノードに提供することのうちの少なくとも1つを含む、通信することと、
前記TWTの前記タイムスロットの間の前記ワイヤレスノードとの前記通信のタイミングに少なくとも部分的に基づいて、前記指示されたスリープ持続時間にわたってスリープモードに入ることと
を行わせるために実行可能な命令を含む、コンピュータ可読記憶媒体。
【発明の詳細な説明】
【技術分野】
【０００１】
相互参照
本特許出願は、各々が本出願の譲受人に譲渡された、2016年8月24日に出願した、「Power Save Mechanism in a WLAN With Large Number of Stations」と題する、Jiaらによる米国特許出願第15/246,423号、および2015年8月25日に出願した、「Power Save Mechanism in a WLAN With Large Number Of Stations」と題する、Jiaらによる米国仮特許出願第62/209,473号の優先権を主張するものである。
【０００２】
本開示は、たとえば、ワイヤレス通信システムに関し、より詳細には、WLANのための節電機構に関する。
【背景技術】
【０００３】
ワイヤレス通信システムは、音声、映像、パケットデータ、メッセージング、放送などの様々な種類の通信コンテンツを提供するために広く配備されている。これらのシステムは、利用可能なシステムリソース(たとえば、時間、周波数、および電力)を共有することにより、複数のユーザとの通信をサポートすることが可能な多元接続システムであり得る。ワイヤレスネットワーク、たとえば、Wi-Fiネットワーク(IEEE802.11)などのワイヤレスローカルエリアネットワーク(WLAN)は、1つまたは複数の局(STA)またはモバイルデバイスと通信し得るアクセスポイント(AP)を含み得る。APは、インターネットなどのネットワークに結合され、モバイルデバイスがネットワークを介して通信する(かつ/またはアクセスポイントに結合された他のデバイスと通信する)ことを可能にし得る。
【０００４】
APが多くのSTAにサービスするWLAN環境では、STAの数に対して総スループット(aggregate throughput)レベルが維持されない場合がある。一部のWLANは開始型スケジュールドアクセス(initiated scheduled access)を使用し、その場合、APはSTAのサブセットに対してターゲット起動時間(TWT)グループを割り当てる。APと通信するためにどのSTAがアウェイクしているかは、割り当てられたTWTグループに基づいて交代する。しかしながら、このシステムを使用すると、総スループットレベルは、一般に、STAの数に対して適度に低下する。さらに、そのような割当ては、多くのオーバーヘッドを引き起こし、新しいメッセージまたはシグナリングを必要とする。
【発明の概要】
【課題を解決するための手段】
【０００５】
本明細書で説明する技法およびシステムは、多数のSTAを有するWLANのための節電機構を採用する。APは、APがサービスしている局の数に対して総スループットを安定したレベルに維持する。APは、STAがAPによるサービスを得るたびに、STAが「サービスなし」時間期間の持続時間にわたって深いスリープ状態に入ることができるように、「サービスなし」スケジュールをSTAに提供する。これらの「サービスなし」時間期間は、TWTスロットと整合され得る。「サービスなし」期間が失効した後で、STAは起動して、TWTスロット境界を聴取し、STAがそのTWTスロット内でサービスを得なかった場合、TWTスロットの残りにわたって軽いスリープ状態に入ることができる。
【０００６】
ワイヤレス通信の方法について説明する。この方法は、送信のためのスリープ持続時間の指示をワイヤレスノードに提供するステップと、TWTの間にワイヤレスノードと通信するステップであって、通信が、送信のためのデータをワイヤレスノードに提供すること、またはワイヤレスノードから受信されるデータを取得することのうちの少なくとも1つを含む、通信するステップと、通信のタイミングに少なくとも部分的に基づいて、少なくとも示されたスリープ持続時間の間に送信のためのデータをワイヤレスノードに提供することを控えるステップとを含み得る。
【０００７】
ワイヤレス通信のための装置について説明する。この装置は、送信のためのスリープ持続時間の指示をワイヤレスノードに提供するための手段と、TWTの間にワイヤレスノードと通信するための手段であって、通信が、送信のためのデータをワイヤレスノードに提供すること、またはワイヤレスノードから受信されるデータを取得することのうちの少なくとも1つを含む、通信するための手段と、通信のタイミングに少なくとも部分的に基づいて、少なくとも示されたスリープ持続時間の間に送信のためのデータをワイヤレスノードに提供することを控えるための手段とを含み得る。
【０００８】
ワイヤレス通信のための別の装置について説明する。この装置は、送信のためのスリープ持続時間の指示をワイヤレスノードに提供するように構成されたインターフェースを含み得る。この装置は、TWTの間にワイヤレスノードと通信することであって、通信が、送信のためのデータをワイヤレスノードに提供すること、またはワイヤレスノードから受信されるデータを取得することのうちの少なくとも1つを含む、通信することと、通信のタイミングに少なくとも部分的に基づいて、少なくとも示されたスリープ持続時間の間に送信のためのデータをワイヤレスノードに提供することを控えることとを行うように構成された機構を含み得る。
【０００９】
ワイヤレス通信のための別の装置について説明する。この装置は、スリープ持続時間の指示をワイヤレスノードに送信するように構成されたトランシーバと、機構であって、TWTの間にワイヤレスノードと通信することであって、通信が、ワイヤレスノードにデータを送信すること、またはワイヤレスノードからデータを受信することのうちの少なくとも1つを含む、通信することと、通信のタイミングに少なくとも部分的に基づいて、少なくとも示されたスリープ持続時間の間にワイヤレスノードに送信することを控えることとを行うように構成された機構とを含み得る。
【００１０】
ワイヤレス通信のためのコンピュータ可読媒体について説明する。このコンピュータ可読媒体は、プロセッサに、送信のためのスリープ持続時間の指示をワイヤレスノードに提供することと、TWTの間にワイヤレスノードと通信することであって、通信が、送信のためのデータをワイヤレスノードに提供すること、またはワイヤレスノードから受信されるデータを取得することのうちの少なくとも1つを含む、通信することと、通信のタイミングに少なくとも部分的に基づいて、少なくとも示されたスリープ持続時間の間に送信のためのデータをワイヤレスノードに提供することを控えることとを行わせるために動作可能な命令を含み得る。
【００１１】
上記で説明した方法、装置、およびコンピュータ可読媒体のいくつかの例では、送信のためのスリープ持続時間の指示をワイヤレスノードに提供することは、その中にスリープ持続時間の指示を有するTWTセットアップ要求フレームを生成することと、送信のためにTWTセットアップ要求フレームを提供することとをさらに含む。
【００１２】
上記で説明した方法、装置、およびコンピュータ可読媒体のいくつかの例では、送信のためのスリープ持続時間の指示をワイヤレスノードに提供することは、TWTのタイムスロットの間にTWT信号フレームを生成することであって、TWT信号フレームが、TWTのタイムスロットまたはスリープ持続時間のうちの少なくとも1つの間にサービスされることになる少なくとも1つのワイヤレスノードを特定するサービスリストを含む、生成することをさらに含む。
【００１３】
上記で説明した方法、装置、およびコンピュータ可読媒体のいくつかの例は、その中にスリープ持続時間の指示を有するビーコンフレームを生成するためのプロセス、特徴、手段、または命令をさらに含むことができ、送信のためのスリープ持続時間の指示をワイヤレスノードに提供することは、ブロードキャスト送信のためのビーコンフレームを提供することをさらに含む。
【００１４】
上記で説明した方法、装置、およびコンピュータ可読媒体のいくつかの例は、ワイヤレスノードに関するサービスなし期間を決定するためのプロセス、特徴、手段、または命令をさらに含むことができ、スリープ持続時間の指示はサービスなし時間を特定し、サービスなし期間は、ネットワーク輻輳に少なくとも部分的に基づいて選択される。
【００１５】
上記で説明した方法、装置、およびコンピュータ可読媒体のいくつかの例は、サービスなし期間をTWTの割振りと整合させるために、そのワイヤレスノードを含むワイヤレスノードのセットに関するTWTの割振りを選択するためのプロセス、特徴、手段、または命令をさらに含み得る。
【００１６】
上記で説明した方法、装置、または非一時的コンピュータ可読媒体のいくつかの例は、そのワイヤレスノードを含むワイヤレスノードの数に関連付けられる総スループットレベルに少なくとも部分的に基づいてスリープ持続時間を決定するためのプロセス、特徴、手段、または命令をさらに含み得る。
【００１７】
上記で説明した方法、装置、およびコンピュータ可読媒体のいくつかの例は、スリープ持続時間を更新し、時間的に(temporally)TWTの後に生じる第2のTWTの間に、送信のための更新されたスリープ持続時間の指示をワイヤレスノードに提供するためのプロセス、特徴、手段、または命令をさらに含み得る。
【００１８】
ワイヤレス通信の方法について説明する。この方法は、ワイヤレスノードから受信されるスリープ持続時間の指示を取得するステップと、TWTのタイムスロットの間にワイヤレスノードと通信するステップであって、通信が、ワイヤレスノードから受信されるデータを取得すること、または送信のためのデータをワイヤレスノードに提供することのうちの少なくとも1つを含む、通信するステップと、TWTのタイムスロットの間のワイヤレスノードとの通信のタイミングに少なくとも部分的に基づいて、示されたスリープ持続時間にわたってスリープモードに入るステップとを含み得る。
【００１９】
ワイヤレス通信のための装置について説明する。この装置は、ワイヤレスノードから受信されるスリープ持続時間の指示を取得するための手段と、TWTのタイムスロットの間にワイヤレスノードと通信するための手段であって、通信が、ワイヤレスノードから受信されるデータを取得すること、または送信のためのデータをワイヤレスノードに提供することのうちの少なくとも1つを含む、通信するための手段と、TWTのタイムスロットの間のワイヤレスノードとの通信のタイミングに少なくとも部分的に基づいて、示されたスリープ持続時間にわたってスリープモードに入るための手段とを含み得る。
【００２０】
ワイヤレス通信のための別の装置について説明する。この装置は、ワイヤレスノードから受信されるスリープ持続時間の指示を取得するように構成されたインターフェースを含み得る。この装置は、TWTのタイムスロットの間にワイヤレスノードと通信することであって、通信が、ワイヤレスノードから受信されるデータを取得すること、または送信のためのデータをワイヤレスノードに提供することのうちの少なくとも1つを含む、通信することと、TWTのタイムスロットの間のワイヤレスノードとの通信のタイミングに少なくとも部分的に基づいて、示されたスリープ持続時間にわたってスリープモードに入ることとを行うように構成された機構を含み得る。
【００２１】
ワイヤレス通信のためのコンピュータ可読媒体について説明する。このコンピュータ可読媒体は、プロセッサに、ワイヤレスノードから受信されるスリープ持続時間の指示を取得することと、TWTのタイムスロットの間にワイヤレスノードと通信することであって、通信が、ワイヤレスノードから受信されるデータを取得すること、または送信のためのデータをワイヤレスノードに提供することのうちの少なくとも1つを含む、通信することと、TWTのタイムスロットの間のワイヤレスノードとの通信のタイミングに少なくとも部分的に基づいて、示されたスリープ持続時間にわたってスリープモードに入ることとを行わせるために動作可能な命令を含み得る。
【００２２】
上記で説明した方法、装置、およびコンピュータ可読媒体のいくつかの例では、ワイヤレスノードから受信されるスリープ持続時間の指示を取得することは、ワイヤレスノードから受信されるビーコンフレームを取得することをさらに含む。上記で説明した方法、装置、または非一時的コンピュータ可読媒体のいくつかの例は、ビーコンフレームからスリープ持続時間の指示を決定するためのプロセス、機構、手段、または命令をさらに含み得る。
【００２３】
上記で説明した方法、装置、およびコンピュータ可読媒体のいくつかの例では、スリープ持続時間の指示を取得することは、ワイヤレスノードから受信されるTWTセットアップ要求フレームを取得することをさらに含む。上記で説明した方法、装置、または非一時的コンピュータ可読媒体のいくつかの例は、TWTセットアップ要求フレームからスリープ持続時間を決定するためのプロセス、機構、手段、または命令をさらに含み得る。
【００２４】
上記で説明した方法、装置、または非一時的コンピュータ可読媒体のいくつかの例は、TWTのタイムスロットの始めにスリープモードから起動するためのプロセス、特徴、手段、または命令をさらに含み得る。
【００２５】
上記で説明した方法、装置、およびコンピュータ可読媒体のいくつかの例では、ワイヤレスノードから受信されるスリープ持続時間の指示を取得することは、TWTのタイムスロットの間に、TWTのタイムスロットまたはスリープ持続時間のうちの少なくとも1つにおいてどのワイヤレスノードがサービスされ得るかを特定するサービスリストを含む、ワイヤレスノードから受信されるTWT信号フレームを取得することをさらに含む。
【００２６】
上記で説明した方法、装置、およびコンピュータ可読媒体のいくつかの例では、スリープモードに入ることは、サービスリストがTWTのタイムスロットに対してワイヤレスノードを含まないと決定することをさらに含む。上記で説明した方法、装置、または非一時的コンピュータ可読媒体のいくつかの例は、ワイヤレスノードがTWTのタイムスロットの残りにわたってスリープモードに入るためのプロセス、特徴、手段、または命令をさらに含み得る。
【００２７】
上記では、以下の発明を実施するための形態の詳細な説明がよりよく理解され得るように、本開示による例の特徴および技術的利点についてかなり広く概説した。以下で、追加の特徴および利点について説明する。開示する概念および具体例は、本開示の同じ目的を実行するための他の構造を変更または設計するための基礎として容易に利用される場合がある。そのような等価な構造は、添付の特許請求の範囲の範囲から逸脱しない。本明細書で開示する概念、それらの構成および動作方法の両方、および関連する利点の特徴は、添付の図面に関連して考慮されるとき、以下の説明からよりよく理解されるであろう。図の各々は、例示および説明の目的でのみ与えられるものであり、特許請求の範囲の制限の定義として与えられるものではない。
【００２８】
以下の図面を参照することにより、本開示の本質および利点のより一層の理解が実現され得る。添付の図では、同様の構成要素または特徴は同じ参照ラベルを有し得る。さらに、同じタイプの様々な構成要素は、参照ラベルの後に、ダッシュと、同様の構成要素の間を区別する第2のラベルとを続けることによって区別される場合がある。第1の参照符号のみが本明細書で使用される場合、その説明は、第2の参照符号にかかわらず、同じ第1の参照符号を有する類似の構成要素のうちのいずれか1つに適用可能である。
【図面の簡単な説明】
【００２９】
【図１】本開示の様々な態様による、節電機構をサポートする、WLANなどのネットワークの一例を示す図である。
【図２】本開示の様々な態様による、ワイヤレスノードの電力モードを示す例示的なタイミング図である。
【図３】本開示の様々な態様による、ワイヤレスノードの電力モードを示す例示的なタイミング図である。
【図４】本開示の様々な態様による、ワイヤレスノードの電力モードを示す例示的なタイミング図である。
【図５】本開示の様々な態様による、節電機構の一例を示すプロセスフローである。
【図６Ａ】本開示の様々な態様による、WLANにおいて節電機構をサポートするAPの一例のブロック図である。
【図６Ｂ】本開示の様々な態様による、WLANにおいて節電機構をサポートするAPの一例のブロック図である。
【図７Ａ】本開示の様々な態様による、WLANにおいて節電機構をサポートするSTAの一例のブロック図である。
【図７Ｂ】本開示の様々な態様による、WLANにおいて節電機構をサポートするSTAの一例のブロック図である。
【図８】本開示の様々な態様による、WLANにおける節電機構のための方法の一例を示す流れ図である。
【図９】本開示の様々な態様による、WLANにおける節電機構のための方法の一例を示す流れ図である。
【発明を実施するための形態】
【００３０】
アクセスポイント(AP)は、そのアクセスポイント(AP)がサービスするワイヤレスノード(STA)に「サービスなし」スケジュールを提供することができる。APは、ターゲット起動時間(TWT)セットアップ要求フレーム、アクションフレーム、またはビーコンフレームを含めて、いくつかの方法の1つで、スリープ持続時間(たとえば、「サービスなし」時間期間)をフォーマットすることができる。STAは、次いで、STAとAPとの間でデータ交換が生じるまで、各定義されたTWTの初めに起動する。データ交換が生じると、STAは、少なくとも、APによって定義された「サービスなし」時間期間にわたって深いスリープモードに入ることができる。「サービスなし」時間期間が失効すると、STAは各TWTの初めに起動のパターンを再開する。
【００３１】
以下の説明は例を与えるものであり、特許請求の範囲に記載される範囲、適用可能性、または例を限定するものではない。本開示の範囲から逸脱することなく、論じる要素の機能および構成に変更が行われてもよい。様々な例は、必要に応じて、様々な手順または構成要素を省略、置換、または追加することができる。たとえば、説明する方法は、説明する方法とは異なる順序で実行されてもよく、様々なステップが追加、省略、または結合されてもよい。また、いくつかの例に関して説明する特徴は、他の例において結合され得る。
【００３２】
まず図1を参照すると、ブロック図が、たとえば、IEEE802.11規格ファミリのうちの少なくとも1つを実装するネットワークなどのWLAN100の一例を示している。WLAN100は、AP105と、移動局、携帯情報端末(PDA)、他のハンドヘルドデバイス、ネットブック、ノートブックコンピュータ、タブレットコンピュータ、ラップトップ、ディスプレイデバイス(たとえば、TV、コンピュータモニタなど)、プリンタ等など、1つまたは複数のワイヤレスデバイスまたはワイヤレス局110を含み得る。1つのAP105だけが示されているが、WLAN100は複数のAP105を有してもよい。移動局(MS)、モバイルデバイス、アクセス端末(AT)、ユーザ機器(UE)、加入者局(SS)、または加入者ユニットとも呼ばれることがあるワイヤレス局110の各々は、通信リンク115を介してAP105と関連付けし、通信し得る。各AP105は地理的カバレージエリア125を有し、したがって、そのエリア内のワイヤレス局110は、通常はAP105と通信し得る。ワイヤレス局110は、地理的カバレージエリア125全体にわたって分散し得る。各ワイヤレス局110は静止であってよく、またはモバイルであってよい。いくつかの態様では、ワイヤレス局110および/またはAP105は、WLAN100のワイヤレスノードであり得る。いくつかの態様では、本明細書の教示に従って実装されるワイヤレスノードは、AP105などのアクセスポイント、またはアクセス端末を含み得る。
【００３３】
ワイヤレス局110は、複数のAP105によってカバーされ得、したがって、異なる時刻に1つまたは複数のAP105と関連付けし得る。単一のAP105および関連する局のセットは、基本サービスセット(BSS)と呼ばれることがある。拡張サービスセット(ESS:extended service set)は接続されたBSSのセットである。拡張サービスセット内のAP105を接続するために、配布システム(DS)が使用される。AP105についての地理的カバレージエリア125は、カバレージエリアの一部のみを構成するセクタに分割され得る。WLAN100は、異なる技術に対する様々なサイズのカバレージエリアおよび重複するカバレージエリアを伴う、異なるタイプ(たとえば、メトロポリタンエリア、ホームネットワークなど)のAP105を含むことがある。他のワイヤレスデバイスがAP105と通信し得る。
【００３４】
ワイヤレス局110は、通信リンク115を使用して、AP105を通じて互いに通信し得るが、各ワイヤレス局110はまた、直接ワイヤレスリンク120を介して1つまたは複数の他のワイヤレス局110と直接的に通信し得る。2つ以上のワイヤレス局110は、ワイヤレス局110がどちらもAP地理的カバレージエリア125内にあるとき、または1つのワイヤレス局110がAP地理的カバレージエリア125内にあるとき、もしくはどちらのワイヤレス局110もAP地理的カバレージエリア125内にないとき、直接ワイヤレスリンク120を介して通信し得る。直接ワイヤレスリンク120の例は、Wi-Fi Direct接続、Wi-Fi Tunneled Direct Link Setup(TDLS)リンクを使用して確立する接続、および他のP2Pグループ接続を含み得る。これらの例でのワイヤレス局110は、IEEE802.11、および限定はしないが、802.11b、802.11g、802.11a、802.11n、802.11ac、802.11ad、802.11ahなどを含むIEEE802.11の様々なバージョンからの物理レイヤおよびMACレイヤを含むWLAN無線およびベースバンドプロトコルに従って通信し得る。他の実装では、他のピアツーピア接続および/またはアドホックネットワークがWLAN100内で実装され得る。
【００３５】
ワイヤレス局110-aなど、ワイヤレス局110のうちの1つまたは複数は、STA節電機構140を含む。STA節電機構140は、ワイヤレス局110の処理システム内でまたは処理システムとして実装されてもよい。STA節電機構140は、いくつかの例では、単に機構と呼ばれる場合もある。STA節電機構140は、本明細書で説明する節電特徴のうちの少なくともいくつかを実装する。たとえば、ワイヤレス局110-aは、この例では、ワイヤレスノードと呼ばれる場合もある、AP105からスリープ持続時間の指示を受信する。STA節電機構140は、ワイヤレス局110-aに、TWTスロット、たとえば、事前定義されたTWTスロットの間にAPと通信させる。通信は、AP105からデータを受信することまたはAP105にデータを送信することのいずれかまたは両方を含むデータ交換である。STA節電機構140は、ワイヤレス局110-aに、TWTスロットの間にAPと通信するタイミングに少なくとも部分的に基づいて、示されたスリープ持続時間にわたってスリープモードに入らせる。
【００３６】
AP105は、AP節電機構145を含む。AP節電機構145は、AP105の処理システム内でまたは処理システムとして実装されてもよい。AP節電機構145は、いくつかの例では、単に機構と呼ばれる場合もある。AP節電機構145は、本明細書で説明する節電技法のうちのいくつかを実装する。AP節電機構145は、ワイヤレス局110-aなどのワイヤレス局にスリープ持続時間の指示を送信する。AP節電機構145は、事前定義されたTWTの間にワイヤレス局110-aと通信する。ワイヤレス局110-aとの通信は、ワイヤレス局にデータを送信することまたはワイヤレス局110-aからデータを受信することのうちの1つまたは両方のデータ交換を含む。AP節電機構145は、データ交換のタイミングに少なくとも部分的に基づいて、少なくとも示されたスリープ持続時間にわたってワイヤレス局110-aに送信することを控える。
【００３７】
図2は、本開示の様々な態様による、ワイヤレス局の電力モードを示すタイミング図200を示す。タイミング図200は、それぞれ、図1のAP105およびワイヤレス局110など、APおよびSTAに関するタイムフレームを示す。いくつかの例では、ワイヤレス局110およびAP105のSTA節電機構140および/またはAP節電機構145は、それぞれ、タイミング図200の1つまたは複数の態様をサポートするように構成され得る。APは、数十または数百のワイヤレス局をサポートし得る。APおよびSTAは、TWTベースのスケジューリングをサポートし、いくつかの例では、APおよびSTAのうちのいずれかまたは両方はワイヤレスノードであってよい。
【００３８】
3個のビーコン間隔205-a、205-b、および205-cが図2に示されている。各ビーコン間隔205は、ターゲットビーコン送信時間(TBTT)で始まる。ビーコン間隔205は、いくつかのTWT210に分けられる。図2(ならびに、図3および図4)に示す例では、各ビーコン間隔205は10個のTWT210に分けられる。各TWT210は、たとえば、少なくとも5から10ミリ秒(ms)であり得る。ビーコン間隔205ごとに特定の数のTWT210を得るために、TWT210の持続時間を選択することができる。他の例では、TWT210の他の数または持続時間が可能である。
【００３９】
APは、STAに「サービスなし」スケジュールを提供する。APは、複数の方法のうちの1つで、STAに対するサービスなしスケジュールをフォーマットする。一例では、APは、媒体アクセス制御(MAC)プロトコルデータユニット(MMPDU)をピギーバックして、スケジューリング情報に基づいて、APが次のスリープ持続時間にわたってSTAにサービスしないことをSTAに知らせる。スリープ持続時間は、たとえば、数ミリ秒単位で定義され得る。APは、TWTセットアップ要求フレームを使用して、スリープ持続時間を伝えることができる。たとえば、APは、「次のTWT情報」フィールドを使用して、スリープ持続時間および任意の他の情報をシグナリングする。代替として、APは「サービスなし期間」をすべてのSTAにブロードキャストする。サービスなし期間は、APによってサービスされているすべてのSTAに共通するスリープ持続時間を定義する。APは、送信ビーコンフレーム内でサービスなし期間を送ることができる。サービスなし期間は、80ミリ秒など、任意の適切な持続時間であってよい。
【００４０】
いくつかの例では、APは、APに対する管理負担を低減するために、事前にTWT割振りを行う。APは、「サービスなし」スケジュールをTWT割振りと整合させることができる。そのような例では、STAは、APからデータを受信するまで、「サービスなし」が失効した後にアウェイク状態にとどまる。
【００４１】
図2の例では、APは、サービスなし期間270を指定して、サービスなし期間270についてSTAに知らせる。APに対する複雑さを低減するために、サービスなし期間270は、ネットワーク輻輳に基づいてすべてのSTAに関して固定値であってよい。他の例では、サービスなし期間270は、APがサービスするSTAの異なるサブセットに対して異なる。サービスなし期間270はまた、異なるビーコン間隔205にわたって特定のSTAに対して変化し得る。
【００４２】
本明細書で説明する技法は、STAが節電モードにないとき(たとえば、PM=0)に可能にされる。たとえば、STAはまた、APからのビーコン内のトラフィック指示マップ(TIM)ビットに依存しない。STAはその電力モードをTWT210と整合させることができる。たとえば、STAは、第1のビーコンフレーム215および/またはブロードキャスト/マルチキャスト時間フレームにわたって時間250-aにおいて起動することができる。
【００４３】
STAは第1のビーコンフレーム215にわたってアウェイクしている。その場合、STAは、第1のビーコンフレーム215の後、かつ節電(PS)トリガおよびアップリンクランダムアクセス220のためのブロードキャストTWTの間、時間255-aにわたってスリープになる。PSトリガおよびアップリンクランダムアクセス220のためのブロードキャストTWTは、TWTベースのスケジューリングに参加しないか、または本明細書で説明するサービスなし期間を使用しない他のSTAに関する。これらの他のSTAは、節電モード(PM=1)に入り、いつ起動するかを決定するために第1のビーコンフレーム215内のトラフィック指示マップ(TIM)ビットに依存する。
【００４４】
STAは、TWT225など、TWTの初めに起動して、APからの送信を待つ。すなわち、STAは、TWTごとに起動して、STAとAPとの間でデータ交換が生じるまでアウェイク状態にとどまる。STAは、時間260-aにおいて起動/スリープ状態であり得、この場合、STAはスリープ状態から起動状態(または、他の例ではその逆)に遷移している。TWT230の間など、STAとAPとの間で通信(たとえば、データ交換)が生じると、STAはサービスなし期間270にわたってスリープになる。すなわち、STAは時間255-bにわたってスリープモードに入る。時間255-bにわたるスリープモードの間、STAは起動して、サービスなし期間270の間に生じているビーコンを(時間250-bにおいて)受信し、サービスなし期間270の残りにわたってスリープに戻ることができる。代替として、STAは、起動してビーコンを受信せずに、全サービスなし期間270の間にスリープ状態にとどまることができる。他の例では、データ交換が発生しない場合、STAは日和見的にスリープモードに入ることができる。
【００４５】
STAは、サービスなし期間270の後、時間260-bにおいて起動する。TWT235における別のデータ交換の後、STAは時間255-cにおいて再びスリープモードに入る。この場合も、STAは、第2のサービスなし期間270の後、時間260-cにおいて起動する。STAは、サービスなし期間270の間に、時間250-cにおいて起動して、ビーコンを受信することもできる。代替として、STAは、サービスなし期間270の間にスリープ状態にとどまることができる。
【００４６】
いくつかの例では、APはTWTの始めにTWTに関するサービスリストを送る。サービスリストは、TWTの間にどのSTAがサービスされることになるかを特定する。サービスリストはまた、それが更新を必要とする場合、サービスなし期間を更新することができる。
【００４７】
図3は、2つのTWT210-aおよび210-bに関するファインタイミングを示すタイミング図300を示す。タイミング図300は、それぞれ、図1のAP105およびワイヤレス局110など、APおよびSTAに関するタイムフレームを示す。いくつかの例では、ワイヤレス局110およびAP105のSTA節電機構140および/またはAP節電機構145は、それぞれ、タイミング図300の1つまたは複数の態様をサポートするように構成され得る。タイミング図300は、タイミング図200の2つのTWT210-a、210-bを示し得る。TWT210-a、210-bは、この例では、10msの長さであるが、他の例では異なってよい。
【００４８】
TWT210-aの始めに、APはTWT信号フレームを送る。TWT信号フレームは、サービスリストとサービスなし期間のうちの1つまたは両方を含み得る。サービスリストは、TWT210-a内でどのSTAがサービスされることになるかを定義する。APは、各TWTに関するサービスなし期間の持続時間を変更することができる。しかしながら、APはより遅いループを使用して、より低い頻度でサービスなしの持続時間を変更することができる。
【００４９】
図3の例では、APは、TWT210-a内でサービスされているとしてSTA4、5、および6を特定するサービスリストを含むTWT信号フレーム305-aを送る。STA、すなわち、STA1は、TWT信号フレーム305-aを受信して、TWT210-aの間にSTA1がサービスされていないと決定する。これにより、STA1はスリープモードに入る。次のTWT210-bの始めに、STA1は起動する。APは、TWT210-bの始めに別のTWT信号フレーム305-bを送る。このTWT信号フレーム305-bは、TWT210-bの間にサービスされているとしてSTA1、2、および3を特定する。
【００５０】
したがって、STA1はTWT210-aの間に電力を節約する機会を有し得るが、これは、STA1がサービスリスト上にない場合、STA1はスリープモードに入ることができるためである。いくつかの例では、STA1は、深いスリープモードの代わりに、軽いスリープモードを利用する。たとえば、TWT210が、起動からスリープおよびスリープから起動のオーバーヘッドと比較して短いとき、STA1は軽いスリープを利用する。
【００５１】
APが、サービスリスト内で特定されたSTAに対するサービスを完了するとき、TWT210内の何らかの残りの時間を802.11ac/レガシーアクセスのために使用することができる。
【００５２】
図4は、本開示の様々な態様による、3つのワイヤレス局の電力モードを示すタイミング図400を示す。タイミング図400は、それぞれ、図1のAP105およびワイヤレス局110など、APおよび3つのワイヤレス局(STA1、STA2、およびSTA3と略される)に関するタイムフレームを示す。いくつかの例では、ワイヤレス局110およびAP105のSTA節電機構140および/またはAP節電機構145は、それぞれ、タイミング図400の1つまたは複数の態様をサポートするように構成され得る。AP105は、数十または数百のワイヤレス局を110サポートし得る。AP105およびSTA1はTWTベースのスケジューリングをサポートする。すなわち、802.11axに従って動作しているSTA1は、TWT能力およびPM=0を有する。STA2および3は、しかしながら、本明細書で説明する節電技法をサポートしない。STA2は、802.11axに従って動作するが、PM=1を有する。STA3は、802.11acに従って動作し、PM=1を有する。
【００５３】
一例では、節電技法は、PM=0であるとき可能にされ、PM=1であるとき不能にされる。他の例では、電力モードは異なってよい。STAが節電モード(PM=1)に入るとき、11axSTAはPSトリガのためにブロードキャストTWTを使用し、11ac/レガシーSTAはQpowerを使用する。
【００５４】
図5は、開示の様々な態様による、節電機構の一例を示すプロセスフロー500を示す。プロセスフロー500は、ワイヤレス局110-bおよびAP105-aを含む、ワイヤレス通信システムのWLANにおける節電機構を示す。ワイヤレス局110-bおよびAP105-aは、図1のワイヤレス局110およびAP105のそれぞれの例である。いくつかの例では、ワイヤレス局110およびAP105のSTA節電機構140および/またはAP節電機構145は、それぞれ、プロセスフロー図500の1つまたは複数の態様をサポートするように構成され得る。
【００５５】
ブロック505において、ワイヤレス局110-bは起動モードに入る。いくつかの例では、ワイヤレス局110-bはスリープモードから起動モードに入る。しかしながら、他の例では、ワイヤレス局110-bは、前にアウェイクであったか、または起動/スリープモードであった。ワイヤレス局110-bは、ビーコン間隔の始めに起動モードに入ることができる。
【００５６】
AP105-aは、ワイヤレス局110-bにスリープ持続時間メッセージ510を送信する。スリープ持続時間メッセージ510は、TWTセットアップ要求フレーム、アクションフレーム内で送信されてよいか、またはビーコンフレーム内でブロードキャストされてよい。AP105-aがTWTセットアップ要求フレーム内でスリープ持続時間メッセージ510を送信する場合、AP105-aは、TWTスロットの始めにTWT信号フレームを送信し、TWT信号フレームは、TWTスロットおよびスリープ持続時間の間にサービスされることになる少なくとも1つのワイヤレス局を特定するサービスリストを含む。
【００５７】
スリープ持続時間メッセージ510から、ビーコンフレーム内であれ、TWTセットアップ要求フレーム内であれ、アクションフレーム内であれ、または他のフォーマットであれ、ブロック515において、ワイヤレス局110-bはスリープ持続時間メッセージ510からスリープ持続時間を特定する。いくつかの例では、ブロック520において、ワイヤレス局110-bがスリープ持続時間メッセージ510とともに含まれていた場合、ワイヤレス局110-bは、ワイヤレス局110-bがサービスリスト上にあるかどうかを決定する。
【００５８】
この例では、ワイヤレス局110-bは、サービスリスト上にあり、したがって、AP105-aとのデータ交換525までアウェイク状態にとどまる。いくつかの例では、ワイヤレス局110-bは第1のTWTタイムスロットまでスリープモードに入る。ブロック530において、データ交換525の後、ワイヤレス局110-bはスリープモードに入る。ブロック535において、スリープ持続時間が失効した後、ワイヤレス局110-bは起動する。
【００５９】
図6Aは、本開示の様々な態様による、図1〜図5に関する、WLANにおいて節電特徴をサポートする、1つの例示的なAP105-bのブロック図600-aを示す。AP105-bは、説明する節電特徴の態様を実行するための手段を提供し得る。AP105-bは、プロセッサ610と、メモリ620と、1つまたは複数のトランシーバ630と、1つまたは複数のアンテナ655と、AP通信マネージャ665とを含む。AP105-bはまた、サービスリストマネージャ635と、スリープ持続時間セレクタ640と、送信フォーマットマネージャ645と、スケジューラ650とを含む。プロセッサ610、メモリ620、トランシーバ630、AP通信マネージャ665、およびサービスリストマネージャ635、スリープ持続時間セレクタ640、送信フォーマットマネージャ645、およびスケジューラ650は、これらの構成要素同士の間の通信を可能にするバス605と通信可能に結合される。アンテナ655は、トランシーバ630と通信可能に結合される。
【００６０】
プロセッサ610は、中央処理ユニット(CPU)、マイクロコントローラ、特定用途向け集積回路(ASIC)などのインテリジェントハードウェアデバイスである。プロセッサ610は、トランシーバ630を介して受信された情報、およびアンテナ655を介した送信のためにトランシーバ630に送られることになる情報を処理する。プロセッサ610は、AP105-bのための処理システムの1つまたは複数の態様を実装し得る。いくつかの例では、プロセッサ610は、AP105-bの1つまたは複数の構成要素と情報を交換するためのインターフェースを含むことができるか、またはインターフェースとして働くことができる。
【００６１】
メモリ620は、実行されると、プロセッサ610またはAP105-bの構成要素の別の構成要素に、本明細書で説明する様々な機能、たとえば、スリープ持続時間を決定すること、送信フォーマットを選択すること、サービスリストを作成すること、送信時間をスケジュールすること、スリープ持続時間を送信することを実行させる命令を含むコード、すなわち、ソフトウェア(SW)コード625を記憶したコンピュータ可読媒体である。
【００６２】
トランシーバ630は、AP105、ワイヤレス局110、または他のデバイスなど、他のワイヤレスデバイスと双方向に通信する。トランシーバ630は、パケットおよびフレームを変調し、被変調パケットを送信のためにアンテナ655に提供するためのモデムを含む。モデムはさらに、アンテナ635から受信されるパケットを復調するために使用される。
【００６３】
AP通信マネージャ665は、図1のWLAN100内に示されるデバイスなど、局および/または他のデバイスとの通信を制御する。図6のAP通信マネージャ665は、バス605を介してAP105-bの他の構成要素と通信中である。代替として、AP通信マネージャ665の機能は、トランシーバ630の構成要素として、コンピュータプログラム製品として、および/またはプロセッサ610の少なくとも1つのコントローラ要素として実装され得る。
【００６４】
サービスリストマネージャ635、スリープ持続時間セレクタ640、送信フォーマットマネージャ645、およびスケジューラ650は、下記でさらに説明するように、図1〜図5を参照して説明した特徴を実装するための手段を提供する、かつ/またはそれらの特徴を実装する。いくつかの例では、サービスリストマネージャ635、スリープ持続時間セレクタ640、送信フォーマットマネージャ645、およびスケジューラ650は、図1のAP節電機構145の機能を実行し、AP節電機構145の一部であってよい。いくつかの例では、サービスリストマネージャ635、スリープ持続時間セレクタ640、送信フォーマットマネージャ645、およびスケジューラ650は、AP105-bに関する処理システムの機能を実行し、AP105-bの一部であってよい。
【００６５】
やはり、図6Aは、図1〜図5の特徴を実行するデバイスの1つの可能な実装形態のみを示す。図6Aの構成要素は、明快のために、ディスクリートハードウェアブロック(たとえば、ASIC、フィールドプログラマブルゲートアレイ(FPGA)、セミカスタム集積回路など)として示されるが、これらの構成要素は各々、ハードウェア内の適用可能な特徴のうちの一部またはすべてを実行するように適合された複数のハードウェアブロックによって実装されることも可能であることを理解されよう。代替として、図6Aの構成要素のうちの2つ以上の特徴は、単一の統合ハードウェアブロックによって実装されてもよい。たとえば、トランシーバ630チップは、プロセッサ610、メモリ620、サービスリストマネージャ635、スリープ持続時間セレクタ640、送信フォーマットマネージャ645、およびスケジューラ650を実装し得る。
【００６６】
さらに別の例では、各構成要素の特徴はまた、全体的にまたは部分的に、1つまたは複数の汎用プロセッサまたは特定用途向けプロセッサによってまたは処理システムとして実行されるようにフォーマットされた、メモリにおいて具現化される命令を用いて実装されてもよい。たとえば、図6Bは、AP105-cの別の例のブロック図600-bを示し、この場合、サービスリストマネージャ635、スリープ持続時間セレクタ640、送信フォーマットマネージャ645、およびスケジューラ650の特徴は、メモリ620-a上に記憶されたコンピュータ可読コードとして実装され、1つまたは複数のプロセッサ610-aによって実行される。図6A〜図6Bの構成要素のうちの1つまたは複数の特徴を実行するために、ハードウェア/ソフトウェアの他の組合せを使用することもできる。
【００６７】
図6A〜図6Bのトランシーバ630、アンテナ655、バス605、プロセッサ610、メモリ620、AP通信マネージャ665、スリープ持続時間セレクタ640、送信フォーマットマネージャ645は、送信のためのスリープ持続時間の指示をワイヤレスノードに提供するための手段であり得る。
【００６８】
図6A〜図6Bのトランシーバ630、アンテナ655、バス605、プロセッサ610、メモリ620、AP通信マネージャ665、スリープ持続時間セレクタ640、およびスケジューラ650は、TWTの間にワイヤレスノードと通信するための手段であり得、通信は、送信のためのデータをワイヤレスノードに提供すること、またはワイヤレスノードから受信されるデータを取得することを含む。
【００６９】
図6A〜図6Bのトランシーバ630、アンテナ655、バス605、プロセッサ610、メモリ620、AP通信マネージャ665、スリープ持続時間セレクタ640、送信フォーマットマネージャ645、およびスケジューラ650は、通信のタイミングに少なくとも部分的に基づいて、少なくとも、示されたスリープ持続時間の間に送信のためのデータをワイヤレスノードに提供することを控えるための手段であり得る。
【００７０】
プロセッサ610、メモリ620、AP通信マネージャ665、送信フォーマットマネージャ645、およびスケジューラ650は、その中にスリープ持続時間の指示を有するTWTセットアップ要求フレームを生成するための手段であり得る。
【００７１】
図6A〜図6Bのトランシーバ630、アンテナ655、バス605、プロセッサ610、メモリ620、AP通信マネージャ665、サービスリストマネージャ635、スリープ持続時間セレクタ640、送信フォーマットマネージャ645、およびスケジューラ650は、送信のためにTWTセットアップ要求フレームを提供するための手段であり得る。
【００７２】
プロセッサ610、メモリ620、AP通信マネージャ665、送信フォーマットマネージャ645、およびスケジューラ650は、TWTのタイムスロットの間にTWT信号を生成するための手段であり得る。
【００７３】
図6A〜図6Bのトランシーバ630、アンテナ655、バス605、プロセッサ610、メモリ620、AP通信マネージャ665、サービスリストマネージャ635、スリープ持続時間セレクタ640、送信フォーマットマネージャ645、およびスケジューラ650は、送信のためのTWT信号フレームを提供するための手段であり得、TWT信号フレームは、TWTのタイムスロットまたはスリープ持続時間のうちの少なくとも1つの間にサービスされることになる少なくとも1つのワイヤレスノードを特定するサービスリストを含む。
【００７４】
プロセッサ610、メモリ620、AP通信マネージャ665、送信フォーマットマネージャ645、およびスケジューラ650は、ビーコンフレームを生成するための手段であり得る。
【００７５】
図6A〜図6Bのトランシーバ630、アンテナ655、バス605、プロセッサ610、メモリ620、AP通信マネージャ665、サービスリストマネージャ635、スリープ持続時間セレクタ640、送信フォーマットマネージャ645、およびスケジューラ650は、ブロードキャスト送信のためにビーコンフレームを提供するための手段であり得る。
【００７６】
図6A〜図6Bのトランシーバ630、アンテナ655、バス605、プロセッサ610、メモリ620、AP通信マネージャ665、サービスリストマネージャ635、スリープ持続時間セレクタ640、およびスケジューラ650は、ネットワーク輻輳に少なくとも部分的に基づいて、ワイヤレスノードに関するサービスなし期間を決定するための手段であり得、スリープ持続時間の指示はサービスなし期間を特定し、サービスなし期間はネットワーク輻輳に少なくとも部分的に基づいて選択される。
【００７７】
図6A〜図6Bのトランシーバ630、アンテナ655、バス605、プロセッサ610、メモリ620、AP通信マネージャ665、サービスリストマネージャ635、スリープ持続時間セレクタ640、およびスケジューラ650は、ワイヤレスノードがサービスなし期間をTWTの割振りと整合させることを含めて、ワイヤレスノードのセットに対するTWTの割振りを選択するための手段であり得る。
【００７８】
図6A〜図6Bのトランシーバ630、アンテナ655、バス605、プロセッサ610、メモリ620、AP通信マネージャ665、サービスリストマネージャ635、スリープ持続時間セレクタ640、およびスケジューラ650は、そのワイヤレスノードを含むワイヤレスノードの数に関連する総スループットレベルに少なくとも部分的に基づいて、スリープ持続時間を決定するための手段であり得る。
【００７９】
図6A〜図6Bのトランシーバ630、アンテナ655、バス605、プロセッサ610、メモリ620、AP通信マネージャ665、サービスリストマネージャ635、スリープ持続時間セレクタ640、およびスケジューラ650は、そのワイヤレスノードを含むワイヤレスノードの数に関連する総スループットレベルに少なくとも部分的に基づいて、スリープ持続時間を更新するための手段であり得る。
【００８０】
図6A〜図6Bのトランシーバ630、アンテナ655、バス605、プロセッサ610、メモリ620、AP通信マネージャ665、サービスリストマネージャ635、スリープ持続時間セレクタ640、およびスケジューラ650は、時間的にTWTの後に生じる第2のTWTの間に送信の更新されたスリープ持続時間の指示をワイヤレスノードに提供するための手段であり得る。
【００８１】
図7Aは、本開示の様々な態様による、図1〜図5に関して、WLANにおける節電特徴をサポートする、1つの例示的なワイヤレス局110-cのブロック図700-aを示す。ワイヤレス局110-cは、説明する節電特徴の態様を実行するための手段を提供し得る。ワイヤレス局110-cは、プロセッサ705と、メモリ710と、1つまたは複数のトランシーバ720と、1つまたは複数のアンテナ725と、電力モードマネージャ735と、節電機構740とを含む。プロセッサ705、メモリ710、トランシーバ720、電力モードマネージャ735、および節電機構740は、これらの構成要素同士の間の通信を可能にするバス730と通信可能に結合される。アンテナ725は、トランシーバ720と通信可能に結合される。
【００８２】
プロセッサ705は、たとえば、CPU、マイクロコントローラ、ASICなどのインテリジェントハードウェアデバイスである。プロセッサ705は、トランシーバ720を介して受信された情報、およびアンテナ725を介した送信のためにトランシーバ720に送られるべき情報を処理する。プロセッサ705は、ワイヤレス局110-cのための処理システムの1つまたは複数の態様を実装し得る。いくつかの例では、プロセッサ705は、ワイヤレス局110-cの1つまたは複数の構成要素と情報を交換するためのインターフェースを含むことができるか、またはインターフェースとして働くことができる。
【００８３】
メモリ710は、実行されると、プロセッサ705またはワイヤレス局110-cの構成要素の別の構成要素に、本明細書で説明する様々な機能、たとえば、スリープおよび起動モードに入ること、スリープ持続時間を決定すること、およびAP105とのデータ交換を実行することを実行させる命令を含むコード、すなわち、ソフトウェア(SW)コード715を記憶したコンピュータ可読媒体である。
【００８４】
トランシーバ720は、AP105、ワイヤレス局110、または他のデバイスなど、他のワイヤレスデバイスと双方向に通信する。トランシーバ720は、パケットおよびフレームを変調し、被変調パケットを送信のためにアンテナ725に提供するためのモデムを含む。モデムはさらに、アンテナ725から受信されるパケットを復調するために使用される。
【００８５】
電力モードマネージャ735および節電機構740は、下記でさらに説明するように、図1〜図5を参照して説明した特徴を実装するための手段を提供する、かつ/またはそれらの特徴を実装する。いくつかの例では、電力モードマネージャ735および節電機構740は、図1のSTA節電機構140の機能を実行し、STA節電機構140の一部であってよい。いくつかの例では、電力モードマネージャ735および節電機構740は、ワイヤレス局110-cの処理システムの機能を実行し、その処理システムの一部であってよい。
【００８６】
やはり、図7Aは、図1〜図6の特徴を実行するデバイスの1つの可能な実装形態のみを示す。図7Aの構成要素は、明快のために、ディスクリートハードウェアブロック(たとえば、ASIC、FPGA、セミカスタム集積回路など)として示されるが、これらの構成要素は各々、ハードウェア内の適用可能な特徴のうちの一部またはすべてを実行するように適合された複数のハードウェアブロックによって実装されることも可能であることを理解されよう。代替として、図7Aの構成要素のうちの2つ以上の特徴は、単一の統合ハードウェアブロックによって実装されてもよい。たとえば、トランシーバ720チップは、プロセッサ705、メモリ710、電力モードマネージャ735、および節電機構740を実装し得る。
【００８７】
さらに別の例では、各構成要素の特徴はまた、全体的にまたは部分的に、1つまたは複数の汎用プロセッサまたは特定用途向けプロセッサによって実行されるようにフォーマットされた、メモリにおいて具現化される命令を用いて実装されてもよい。たとえば、図7Bは、電力モードマネージャ735および節電機構740の特徴が、メモリ710-a上に記憶され、1つまたは複数のプロセッサ705-aによって実行されるコンピュータ可読コードとして実装されるワイヤレス局110-dの別の例のブロック図700-bを示す。図7A〜図7Bの構成要素のうちの1つまたは複数の特徴を実行するために、ハードウェア/ソフトウェアの他の組合せを使用することもできる。
【００８８】
図7A〜図7Bのトランシーバ720、アンテナ725、バス730、プロセッサ705、メモリ710、電力モードマネージャ735、および節電機構740は、ワイヤレスノードから受信されるスリープ持続時間の指示を取得するための手段であり得る。
【００８９】
図7A〜図7Bのトランシーバ720、アンテナ725、バス730、プロセッサ705、メモリ710、電力モードマネージャ735、および節電機構740は、ターゲット起動時間(TWT)のタイムスロットの間にワイヤレスノードと通信するための手段であり得、通信は、ワイヤレスノードから受信されるデータを取得すること、または送信のためのデータをワイヤレスノードに提供することのうちの少なくとも1つを含む。
【００９０】
図7A〜図7Bのトランシーバ720、アンテナ725、バス730、プロセッサ705、メモリ710、電力モードマネージャ735、および節電機構740は、TWTのタイムスロットの間にワイヤレスノードと通信するタイミングに少なくとも部分的に基づいて、示されたスリープ持続時間にわたってスリープモードに入るための手段であり得る。
【００９１】
図7A〜図7Bのトランシーバ720、アンテナ725、バス730、プロセッサ705、メモリ710、電力モードマネージャ735、および節電機構740は、ワイヤレスノードから受信されるビーコンフレームを取得するための手段であり得る。
【００９２】
図7A〜図7Bのトランシーバ720、アンテナ725、バス730、プロセッサ705、メモリ710、電力モードマネージャ735、および節電機構740は、TWTセットアップ要求フレームからスリープ持続時間を決定するための手段であり得る。
【００９３】
図7A〜図7Bのトランシーバ720、アンテナ725、バス730、プロセッサ705、メモリ710、電力モードマネージャ735、および節電機構740は、TWTのタイムスロットの始めにスリープモードから起動するための手段であり得る。
【００９４】
図7A〜図7Bのトランシーバ720、アンテナ725、バス730、プロセッサ705、メモリ710、電力モードマネージャ735、および節電機構740は、TWTのタイムスロットの間にワイヤレスノードから受信されるTWT信号フレームを取得するための手段であり得、TWT信号フレームは、TWTのタイムスロットまたはスリープ持続時間のうちの少なくとも1つにおいてどのワイヤレスノードがサービスされることになるかを特定するサービスリストを含む。
【００９５】
図7A〜図7Bのトランシーバ720、アンテナ725、バス730、プロセッサ705、メモリ710、電力モードマネージャ735、および節電機構740は、サービスリストがTWTのタイムスロットに対してワイヤレス局110-c、110-d(たとえば、ワイヤレス通信のための装置)を含まないと決定するための手段であり得る。
【００９６】
図7A〜図7Bのトランシーバ720、アンテナ725、バス730、プロセッサ705、メモリ710、電力モードマネージャ735、および節電機構740は、ワイヤレス局110-c、110-dがTWTのタイムスロットの残りにわたってスリープモードに入るための手段であり得る。
【００９７】
図8は、本開示の種々の態様による、ワイヤレス通信のための方法800の一例を示す流れ図である。方法800は、本開示で論じるAP105のいずれかによって実行され得る。AP105は、複数のワイヤレス局110にサービスしている場合がある。前に論じたように、いくつかの例では、AP105は、ワイヤレスノードと呼ばれる場合もある。
【００９８】
概して、方法800は、AP105が、スリープ持続時間の指示をワイヤレス局に送信して、TWTの間にワイヤレス局と通信して、データ交換のタイミングに少なくとも部分的に基づいて、少なくとも示されたスリープ持続時間にわたってワイヤレス局110に送信することを控える手順を示す。
【００９９】
ブロック805において、AP105はネットワーク輻輳のレベルを決定する。ブロック810において、AP105はスリープ持続時間を決定する。いくつかの例では、AP105は、ネットワーク輻輳のレベルに基づいて、スリープ持続時間を決定する。スリープ持続時間は、ビーコン間隔205時間より短くてもまたは長くてもよい。たとえば、スリープ持続時間は80ミリ秒であり得る。いくつかの例では、AP105は、ワイヤレス局110に関するサービスなし期間を決定し、スリープ持続時間の指示は、サービスなし期間を特定する。AP105は、接続されたワイヤレス局110の数に基づいて、総スループットレベルをしきい値スループット量の範囲内に維持するためのスリープ持続時間を決定することができる。別の例では、AP105は、そのワイヤレス局を含む、接続されたワイヤレス局110のセットに対するTWT割振りを決定して、サービスなし期間をTWT割振りと整合させる。
【０１００】
ブロック815において、AP105は、スリープ持続時間を送信するためのフォーマットを決定する。一例では、AP105は、スリープ持続時間をTWTセットアップ要求フレーム内に組み込む。一例では、AP105は、スリープ持続時間をビーコンフレーム内に組み込む。他の例では、アクションフレームまたは他のフォーマットもしくはフレームが使用されてよい。
【０１０１】
ブロック820において、AP105は、選択された送信フォーマットに従って、次のタイムスロットにおいてスリープ持続時間を送信する。いくつかの例では、AP105は、TWTセットアップ要求フレーム内でスリープ持続時間の指示を送信する。スリープ持続時間の指示を送信することは、TWTスロットの始めにTWT信号フレーム305を送信することをさらに含んでよく、TWT信号フレームは、TWTスロットおよびスリープ持続時間の間にサービスされることになる少なくとも1つのワイヤレス局を特定するサービスリストを含む。別の例では、AP105は、ビーコンフレームまたはアクションフレーム内でスリープ持続時間の指示をブロードキャストする。
【０１０２】
ブロック825において、AP105は、スリープ持続時間が動的である(たとえば、調整可能)であるべきかどうかを決定する。動的でない場合、方法800は、経路830を進み、次のタイムスロットにおいてスリープ持続時間を再度送信する。動的である場合、方法800は、経路835をブロック840に進む。ブロック840において、AP105は、WLANが総スループットレベルを維持しているかどうかを決定する。維持している場合、方法800は、経路845をブロック820に進む。WLANが総スループットレベルを維持している場合、スリープ持続時間を調整する理由はなにも存在し得ない。しかしながら、WLANが総スループットレベルを維持していない場合、AP105は、総スループットレベルを調整するために、スリープ持続時間を更新することができる。方法800は、経路850をブロック805に進み、ネットワーク輻輳のレベルを決定し、次いで、ブロック810においてスリープ持続時間を新たに決定することに進む。すなわち、AP105は、スリープ持続時間を更新し、次のTWTスロットの間に、ワイヤレス局に更新されたスリープ持続時間の指示を送信する。方法800は、必要な限り繰り替えされてよい。
【０１０３】
このようにして、方法800はワイヤレス通信を提供し得る。方法800は一実装形態にすぎず、方法800の動作は、他の実装形態が可能であるように並べ替えられ、または場合によっては変更されてもよいことに留意されたい。
【０１０４】
図9は、本開示の種々の態様による、ワイヤレス通信のための方法900の一例を示す流れ図である。方法900は、本開示で論じるワイヤレス局110のいずれかによって実行され得る。いくつかの例では、ワイヤレス局110は、ワイヤレスノードと呼ばれることもある。概して、方法900は、ワイヤレス局110が、スリープ持続時間の指示をAP105から受信して、TWTスロットの間にAP105と通信して、TWTスロットの間のAP105との通信のタイミングに少なくとも部分的に基づいて、示されたスリープ持続時間にわたってスリープモードに入る手順を示す。
【０１０５】
ブロック905において、方法900は、ワイヤレス局110が、スリープサイクルの後で第1のTBTTにおいてスリープモードから起動するステップを含む。ブロック910において、ワイヤレス局110はスリープ持続時間を受信する。いくつかの例では、スリープ持続時間を受信することは、AP105からビーコンフレームを受信することを含む。他の例では、スリープ持続時間を受信することは、TWTセットアップ要求フレームまたはアクションフレームを受信することを含む。ワイヤレス局110は、ビーコンフレーム、TWTセットアップ要求フレーム、またはアクションフレームからスリープ持続時間の指示を決定することができる。ブロック915において、ワイヤレス局110は、スリープ持続時間、およびワイヤレス局110が現在AP105によってサービスされていないことを決定した後で、スリープモードに入ることができる。
【０１０６】
ブロック920において、ワイヤレス局110は、スケジュールされたDL/ULアクセスに対するブロードキャストの時点で起動する。ワイヤレス局110は、TWTサービスリストを含むフレームを受信することができる。ブロック925において、ワイヤレス局110は、ワイヤレス局110がTWTサービスリスト上にあるかどうかを決定する。ない場合、方法900は、経路930をブロック915に進み、ワイヤレス局110は、スリープモードに入り、ブロック920に戻る。
【０１０７】
しかしながら、ワイヤレス局110がTWTサービスリスト上にある場合、方法900は経路935をブロック940に進む。ブロック940において、ワイヤレス局110は、ワイヤレス局110がデータ交換に参加するまでアウェイク状態にとどまる。データ交換の後、ブロック945において、ワイヤレス局110は、スリープに進み、次いで、スリープ持続時間の後で起動する。
【０１０８】
方法900は、本明細書で説明した節電機構140を使用するための変形形態を示す。このようにして、方法900はワイヤレス通信を提供し得る。方法900は一実装形態にすぎず、方法900の動作は、他の実装形態が可能であるように並べ替えられ、または場合によっては変更されてもよいことに留意されたい。
【０１０９】
いくつかの例では、方法800および900のうちの2つ以上からの態様が組み合わされ得る。方法800および900は例示的な実装形態にすぎず、方法800および900の動作は、他の実装形態が可能であるように並べ替えられ、または場合によっては修正され得ることに留意されたい。
【０１１０】
本開示の様々な態様について、添付の図面を参照しながら、以下でより十分に説明する。しかしながら、本開示は、多くの異なる形態で具現化されてもよく、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の任意の他の態様とは無関係に実装されるにせよ、本開示の任意の他の態様と組み合わせて実装されるにせよ、本明細書で開示する本開示の任意の態様を包含するものであることを当業者は諒解されたい。たとえば、本明細書に記載する任意の数の態様を使用して、装置が実装されてもよく、または方法が実践されてもよい。加えて、本開示の範囲は、本明細書で説明した本開示の様々な態様に加えて、またはそれらの態様以外に、他の構造、機能、または構造および機能を使用して実践されるそのような装置または方法を包含するものとする。本明細書で開示した本開示のいずれの態様も、請求項の1つまたは複数の要素によって具現化され得ることを理解されたい。
【０１１１】
添付の図面に関して上記で説明した詳細な説明は、例を説明しており、実施され得る、または特許請求の範囲内に入る唯一の例を表すものではない。「例」および「例示的」という用語は、この説明で使用されるとき、「例、事例、または例示として機能すること」を意味し、「好ましい」または「他の例よりも有利である」ことを意味しない。詳細な説明は、説明した技法を理解することを目的とした具体的な詳細を含む。しかしながら、これらの技法は、これらの具体的な詳細を伴わずに実践されてもよい。いくつかの事例では、説明した例の概念を不明瞭にすることを避けるために、よく知られている構造および装置がブロック図の形で示されている。
【０１１２】
情報および信号は、様々な異なる技術および技法のうちのいずれかを使用して表されることがある。たとえば、上記の説明全体にわたって参照され得るデータ、命令、コマンド、情報、信号、ビット、記号、およびチップは、電圧、電流、電磁波、磁場もしくは磁性粒子、光場もしくは光学粒子、またはそれらの任意の組合せによって表されてよい。
【０１１３】
本明細書の開示に関して説明した様々な例示的なブロックおよび構成要素は、汎用プロセッサ、デジタル信号プロセッサ(DSP)、ASIC、FPGAもしくは他のプログラマブル論理デバイス、個別ゲートもしくトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または他の任意のそのような構成)として実装されてもよい。
【０１１４】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとしてコンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはそれらの任意の組合せによって実行されるソフトウェアを使用して実装され得る。機能を実装する特徴はまた、異なる物理ロケーションにおいて機能の部分が実装されるように分散されることを含めて、様々な位置に物理的に配置され得る。特許請求の範囲を含む本明細書で使用されるように、「および/または」という用語は、2つ以上の項目のリストにおいて使用されるとき、列挙された項目のうちのいずれか1つが単独で採用されてよく、または列挙された項目のうちの2つ以上の任意の組合せが採用されてもよいことを意味する。たとえば、組成物が構成要素A、B、および/またはCを含むものとして説明される場合、組成物は、Aのみ、Bのみ、Cのみ、AとBとの組合せ、AとCとの組合せ、BとCとの組合せ、およびAとBとCとの組合せを含むことができる。また、特許請求の範囲を含む本明細書で使用されるように、項目のリスト(たとえば、「〜のうちの少なくとも1つ」または「〜のうちの1つまたは複数」などの句で終わる項目のリスト)において使用される「または」は選言リストを示し、そのため、たとえば、「A、B、またはCのうちの少なくとも1つ」のリストは、A、またはB、またはC、またはAA、またはAB、またはAC、またはBC、またはABC(すなわち、AおよびBおよびC)を意味する。
【０１１５】
コンピュータ可読媒体は、コンピュータ記憶媒体と、ある場所から別の場所へのコンピュータプログラムの転送を容易にする任意の媒体を含む通信媒体の両方を含む。記憶媒体は、汎用または専用コンピュータによってアクセスされ得る任意の利用可能な媒体であってもよい。限定ではなく例として、コンピュータ可読媒体は、RAM、ROM、EEPROM、フラッシュメモリ、CD-ROMもしくは他の光ディスクストレージ、磁気ディスクストレージもしくは他の磁気ストレージデバイス、または、命令もしくはデータ構造の形態の所望のプログラムコード手段を搬送もしくは記憶するために使用され得、汎用コンピュータもしくは専用コンピュータ、または汎用プロセッサもしくは専用プロセッサによってアクセスされ得る、任意の他の媒体を備え得る。また、あらゆる接続が、コンピュータ可読媒体と適切に呼ばれる。たとえば、ソフトウェアが、同軸ケーブル、光ファイバケーブル、より対線、デジタル加入者線(「DSL」)、または、赤外線、無線、およびマイクロ波などのワイヤレス技術を使用してウェブサイト、サーバ、または他の遠隔ソースから送信される場合、同軸ケーブル、光ファイバケーブル、より対線、DSL、または、赤外線、無線、およびマイクロ波などのワイヤレス技術は、媒体の定義に含まれる。ディスク(disk)およびディスク(disc)は、本明細書で使用するとき、コンパクトディスク(disc)(CD)、レーザーディスク(登録商標)(disc)、光ディスク(disc)、デジタル多用途ディスク(disc)(DVD)、フロッピーディスク(disk)、およびブルーレイディスク(disc)を含み、ディスク(disk)は、通常、データを磁気的に再生し、ディスク(disc)は、レーザーを用いてデータを光学的に再生する。上記のものの組合せもコンピュータ可読媒体の範囲内に含まれる。コンピュータプログラム製品は、消費者が購入するようにその中にコンピュータ可読媒体を広告するパッケージング材料を含み得る。
【０１１６】
本開示についての以上の説明は、当業者が本開示を作成または使用することができるように与えられる。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示する原理および新規の特徴と一致する最も広い範囲を与えられるべきである。
【符号の説明】
【０１１７】
100  WLAN
105  AP
105-a  AP
105-b  AP
110  ワイヤレスデバイスまたはワイヤレス局
110-a  ワイヤレス局
110-b  ワイヤレス局
110-c  ワイヤレス局
110-d  ワイヤレス局
115  通信リンク
120  直接ワイヤレスリンク
125  地理的カバレージエリア、AP地理的カバレージエリア
140  STA節電機構
145  AP節電機構
200  タイミング図
205  ビーコン間隔
205-a  ビーコン間隔
205-b  ビーコン間隔
205-c  ビーコン間隔
210  TWT
210-a  TWT
210-b  TWT
215  第1のビーコンフレーム
220  節電(PS)トリガおよびアップリンクランダムアクセス
225  TWT
230  TWT
235  TWT
250-a  時間
250-b  時間
250-c  時間
255-a  時間
255-b  時間
255-c  時間
260-a  時間
260-b  時間
260-c  時間
270  サービスなし期間、第2のサービスなし期間
300  タイミング図
305-a  TWT信号フレーム
305-b  TWT信号フレーム
400  タイミング図
500  プロセスフロー
510  スリープ持続時間メッセージ
525  データ交換
600-a  ブロック図
600-b  ブロック図
605  バス
610  プロセッサ
610-a  プロセッサ
620  メモリ
620-a  メモリ
625  ソフトウェア(SW)コード
630  トランシーバ
635  サービスリストマネージャ
640  スリープ持続時間セレクタ
645  送信フォーマットマネージャ
650  スケジューラ
655  アンテナ
665  AP通信マネージャ
700-a  ブロック図
705  プロセッサ
710  メモリ
720  トランシーバ
725  アンテナ
730  バス
735  電力モードマネージャ
740  節電機構
800  方法
900  方法
【図１】
2018525933.tif 000003
【図２】
2018525933.tif 000004
【図３】
2018525933.tif 000005
【図４】
2018525933.tif 000006
【図５】
2018525933.tif 000007
【図６Ａ】
2018525933.tif 000008
【図６Ｂ】
2018525933.tif 000009
【図７Ａ】
2018525933.tif 000010
【図７Ｂ】
2018525933.tif 000011
【図８】
2018525933.tif 000012
【図９】
2018525933.tif 000013
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
送信のためのスリープ持続時間の指示をワイヤレスノードに提供するステップであって、
ターゲット起動時間(TWT)のタイムスロットの間にTWT信号フレームを生成するステップと、
送信のために前記TWT信号フレームを提供するステップとをさらに含み、
前記TWT信号フレームが、前記TWTの前記タイムスロットまたは前記スリープ持続時間のうちの少なくとも1つの間にサービスされることになる少なくとも1つのワイヤレスノードを特定するサービスリストを含む、
提供するステップと、
前記TWTの間に前記ワイヤレスノードと通信するステップであって、前記通信が、送信のためのデータを前記ワイヤレスノードに提供すること、または前記ワイヤレスノードから受信されるデータを取得することのうちの少なくとも1つを含む、通信するステップと、
前記通信のタイミングに少なくとも部分的に基づいて、少なくとも前記指示されたスリープ持続時間の間に送信のためのデータを前記ワイヤレスノードに提供することを控えるステップと
を含む、方法。
【請求項２】
送信のための前記スリープ持続時間の前記指示を前記ワイヤレスノードに提供する前記ステップが、
その中に前記スリープ持続時間の前記指示を有するTWTセットアップ要求フレームを生成するステップと、
送信のために前記TWTセットアップ要求フレームを前記ワイヤレスノードに提供するステップと
をさらに含む、請求項1に記載の方法。
【請求項３】
ビーコンフレーム内に前記スリープ持続時間の前記指示を有する前記ビーコンフレームを生成するステップ
をさらに含み、
送信のための前記スリープ持続時間の前記指示を前記ワイヤレスノードに提供する前記ステップが、ブロードキャスト送信のために前記ビーコンフレームを提供するステップをさらに含む
請求項1に記載の方法。
【請求項４】
ネットワーク輻輳に少なくとも部分的に基づいて、前記ワイヤレスノードに関するサービスなし期間を決定するステップをさらに含み、前記スリープ持続時間の前記指示が前記サービスなし期間を特定する
請求項1に記載の方法。
【請求項５】
前記サービスなし期間を前記TWTの割振りと整合させるために、前記ワイヤレスノードを含むワイヤレスノードのセットに関する前記TWTの前記割振りを選択するステップ
をさらに含む、請求項4に記載の方法。
【請求項６】
前記ワイヤレスノードを含むワイヤレスノードの数に関連する総スループットレベルに少なくとも部分的に基づいて、前記スリープ持続時間を決定するステップ
をさらに含む、請求項1に記載の方法。
【請求項７】
前記スリープ持続時間を更新するステップと、
時間的に前記TWTの後に生じる第2のTWTの間に、送信のための前記更新されたスリープ持続時間の指示を前記ワイヤレスノードに提供するステップと
をさらに含む、請求項1に記載の方法。
【請求項８】
ワイヤレス通信のための装置であって、
送信のためのスリープ持続時間の指示をワイヤレスノードに提供するように構成されたインターフェースと、
機構であって、
ターゲット起動時間(TWT)の間に前記ワイヤレスノードと通信することであって、前記通信が、送信のためのデータを前記ワイヤレスノードに提供すること、または前記ワイヤレスノードから受信されるデータを取得することのうちの少なくとも1つを含む、通信することと、
前記通信のタイミングに少なくとも部分的に基づいて、少なくとも前記指示されたスリープ持続時間の間に送信のためのデータを前記ワイヤレスノードに提供することを控えることと
を行うように構成された機構と
を含み、前記機構が、前記TWTのタイムスロットの間にTWT信号フレームを生成することと、送信のために前記TWT信号フレームを提供することとを行うようにさらに構成され、前記TWT信号フレームが、前記TWTの前記タイムスロットまたは前記スリープ持続時間のうちの少なくとも1つの間にサービスされることになる少なくとも1つのワイヤレスノードを特定するサービスリストを含む、装置。
【請求項９】
前記機構が、その中に前記スリープ持続時間の前記指示を有するTWTセットアップ要求フレームを生成するようにさらに構成され、前記インターフェースが、送信のために前記TWTセットアップ要求フレームを提供するようにさらに構成される、請求項8に記載の装置。
【請求項１０】
前記機構が、ビーコンフレーム内に前記スリープ持続時間の前記指示を有する前記ビーコンフレームを生成するようにさらに構成され、前記インターフェースが、ブロードキャスト送信のために前記ビーコンフレームを提供するようにさらに構成される、請求項8に記載の装置。
【請求項１１】
前記機構が、ネットワーク輻輳に少なくとも部分的に基づいて、前記ワイヤレスノードに関するサービスなし期間を決定するようにさらに構成され、前記スリープ持続時間の前記指示が前記サービスなし期間を特定する、請求項8に記載の装置。
【請求項１２】
前記機構が、前記サービスなし期間を前記TWTの割振りと整合させるために、前記ワイヤレスノードを含むワイヤレスノードのセットに関する前記TWTの前記割振りを選択するようにさらに構成される、請求項11に記載の装置。
【請求項１３】
前記機構が、前記ワイヤレスノードを含むワイヤレスノードの数に関連する総スループットレベルに少なくとも部分的に基づいて、前記スリープ持続時間を決定するようにさらに構成される、請求項8に記載の装置。
【請求項１４】
前記機構が、前記スリープ持続時間を更新するようにさらに構成され、
前記インターフェースが、時間的に前記TWTの後に生じる第2のTWTの間に、送信のための前記更新されたスリープ持続時間の指示を前記ワイヤレスノードに提供するようにさらに構成される、請求項8に記載の装置。
【請求項１５】
アクセスポイントであって、
送信のためのスリープ持続時間の指示をワイヤレスノードに送信するように構成されたトランシーバと、
機構であって、
ターゲット起動時間(TWT)の間に前記ワイヤレスノードと通信することであって、前記通信が、前記ワイヤレスノードにデータを送信すること、または前記ワイヤレスノードからデータを受信することのうちの少なくとも1つを含む、通信することと、
前記通信のタイミングに少なくとも部分的に基づいて、少なくとも前記指示されたスリープ持続時間の間に前記ワイヤレスノードに送信することを控えることと
を行うように構成された機構と
を含み、前記機構が、前記TWTのタイムスロットの間にTWT信号フレームを生成することと、送信のために前記TWT信号フレームを提供することとを行うようにさらに構成され、前記TWT信号フレームが、前記TWTの前記タイムスロットまたは前記スリープ持続時間のうちの少なくとも1つの間にサービスされることになる少なくとも1つのワイヤレスノードを特定するサービスリストを含む、アクセスポイント。
【請求項１６】
ワイヤレス通信のための装置であって、
送信のためのスリープ持続時間の指示をワイヤレスノードに提供するための手段であって、
ターゲット起動時間(TWT)のタイムスロットの間にTWT信号フレームを生成するための手段と、
送信のために前記TWT信号フレームを提供するための手段とをさらに含み、
前記TWT信号フレームが、前記TWTの前記タイムスロットまたは前記スリープ持続時間のうちの少なくとも1つの間にサービスされることになる少なくとも1つのワイヤレスノードを特定するサービスリストを含む、
提供するための手段と、
前記TWTの間に前記ワイヤレスノードと通信するための手段であって、前記通信が、送信のためのデータを前記ワイヤレスノードに提供すること、または前記ワイヤレスノードから受信されるデータを取得することのうちの少なくとも1つを含む、通信するための手段と、
前記通信のタイミングに少なくとも部分的に基づいて、少なくとも前記指示されたスリープ持続時間の間に送信のためのデータを前記ワイヤレスノードに提供することを控えるための手段と
を含む、装置。
【請求項１７】
前記スリープ持続時間の前記指示を提供するための前記手段が、
その中に前記スリープ持続時間の前記指示を有するTWTセットアップ要求フレームを生成するための手段と、
送信のために前記TWTセットアップ要求フレームを提供するための手段と
をさらに含む、請求項16に記載の装置。
【請求項１８】
ビーコンフレーム内に前記スリープ持続時間の前記指示を有する前記ビーコンフレームを生成するための手段
をさらに含み、
送信のための前記スリープ持続時間の前記指示を前記ワイヤレスノードに提供するための前記手段が、
ブロードキャスト送信のために前記ビーコンフレームを提供するための手段をさらに含む、請求項16に記載の装置。
【請求項１９】
ネットワーク輻輳に少なくとも部分的に基づいて、前記ワイヤレスノードに関するサービスなし期間を決定するための手段をさらに含み、前記スリープ持続時間の前記指示が、前記サービスなし期間を特定し、前記サービスなし期間が前記ネットワーク輻輳に少なくとも部分的に基づいて選択される
請求項18に記載の装置。
【請求項２０】
前記サービスなし期間を前記TWTの割振りと整合させるために、前記ワイヤレスノードを含むワイヤレスノードのセットに関する前記TWTの前記割振りを選択するための手段
をさらに含む、請求項19に記載の装置。
【請求項２１】
前記ワイヤレスノードを含むワイヤレスノードの数に関連する総スループットレベルに少なくとも部分的に基づいて、前記スリープ持続時間を決定するための手段
をさらに含む、請求項16に記載の装置。
【請求項２２】
前記スリープ持続時間を更新するための手段と、
時間的に前記TWTの後に生じる第2のTWTの間に、送信のための前記更新されたスリープ持続時間の指示を前記ワイヤレスノードに提供するための手段と
をさらに含む、請求項16に記載の装置。
【請求項２３】
装置におけるワイヤレス通信のためのコードを記憶したコンピュータ可読記憶媒体であって、前記コードが、前記装置に、
送信のためのスリープ持続時間の指示をワイヤレスノードに提供することであって、
ターゲット起動時間(TWT)のタイムスロットの間にTWT信号フレームを生成することと、
送信のための前記TWT信号フレームを提供することとをさらに含み、
前記TWT信号フレームが、前記TWTの前記タイムスロットまたは前記スリープ持続時間のうちの少なくとも1つの間にサービスされることになる少なくとも1つのワイヤレスノードを特定するサービスリストを含む、
提供することと、
前記TWTの間に前記ワイヤレスノードと通信することであって、前記通信が、送信のためのデータを前記ワイヤレスノードに提供すること、または前記ワイヤレスノードから受信されるデータを取得することのうちの少なくとも1つを含む、通信することと、
前記通信のタイミングに少なくとも部分的に基づいて、少なくとも前記指示されたスリープ持続時間の間に送信のためのデータを前記ワイヤレスノードに提供することを控えることと
を行わせるために実行可能な命令を含む
コンピュータ可読記憶媒体。
【請求項２４】
ワイヤレス通信のための方法であって、
ワイヤレスノードから受信されるスリープ持続時間の指示を取得するステップであって、
ターゲット起動時間(TWT)のタイムスロットの間に、前記TWTの前記タイムスロットまたは前記スリープ持続時間のうちの少なくとも1つにおいてどのワイヤレスノードがサービスされることになるかを特定するサービスリストを含む、前記ワイヤレスノードから受信されるTWT信号フレームを取得するステップをさらに含む、
取得するステップと、
前記TWTの前記タイムスロットの間に前記ワイヤレスノードと通信するステップであって、前記通信が、前記ワイヤレスノードから受信されるデータを取得すること、または送信のためのデータを前記ワイヤレスノードに提供することのうちの少なくとも1つを含む、通信するステップと、
前記TWTの前記タイムスロットの間の前記ワイヤレスノードとの前記通信のタイミングに少なくとも部分的に基づいて、前記指示されたスリープ持続時間にわたってスリープモードに入るステップであって、
前記サービスリストが前記TWTの前記タイムスロットに対して前記ワイヤレスノードを含まないと決定するステップと、
前記TWTの前記タイムスロットの残りにわたって前記スリープモードに入るステップとをさらに含む、
入るステップと
を含む、方法。
【請求項２５】
前記スリープ持続時間の前記指示を取得するための前記ステップが、
前記ワイヤレスノードから受信されるビーコンフレームを取得するステップと、
前記ビーコンフレームから前記スリープ持続時間の前記指示を決定するステップと
をさらに含む、請求項24に記載の方法。
【請求項２６】
前記スリープ持続時間の前記指示を取得するための前記ステップが、
前記ワイヤレスノードから受信されるTWTセットアップ要求フレームを取得するステップと、
前記TWTセットアップ要求フレームから前記スリープ持続時間を決定するステップと
をさらに含む、請求項24に記載の方法。
【請求項２７】
前記TWTの前記タイムスロットの始めに前記スリープモードから起動するステップ
をさらに含む、請求項24に記載の方法。
【請求項２８】
ワイヤレス通信のための装置であって、
ワイヤレスノードから受信されるスリープ持続時間の指示を取得するように構成されたインターフェースであって、ターゲット起動時間(TWT)のタイムスロットの間に前記ワイヤレスノードから受信されるTWT信号フレームを取得することであって、前記TWT信号フレームが、前記TWTの前記タイムスロットまたは前記スリープ持続時間のうちの少なくとも1つにおいてどのワイヤレスノードがサービスされることになるか特定するサービスリストを含む、取得することを行うようにさらに構成された、インターフェースと、
機構であって、
前記TWTの前記タイムスロットの間に前記ワイヤレスノードと通信することであって、前記通信が、前記ワイヤレスノードから受信されるデータを取得すること、または送信のためのデータを前記ワイヤレスノードに提供することのうちの少なくとも1つを含む、通信することと、
前記装置に、前記TWTの前記タイムスロットの間の前記ワイヤレスノードとの前記通信のタイミングに少なくとも部分的に基づいて、前記指示されたスリープ持続時間にわたってスリープモードに入らせることと
を行うように構成された機構とを含み、前記機構が、
前記サービスリストに少なくとも部分的に基づいて、前記サービスリストが前記TWTの前記タイムスロットに対して前記装置を含まないと決定し、
前記装置に、前記TWTの前記タイムスロットの残りにわたって前記スリープモードに入らせる
ようにさらに構成される、装置。
【請求項２９】
前記インターフェースが、前記ワイヤレスノードから受信されるビーコンフレームを取得するようにさらに構成され、前記機構が、前記ビーコンフレームから前記スリープ持続時間の前記指示を決定するようにさらに構成される、請求項28に記載の装置。
【請求項３０】
前記インターフェースが、前記ワイヤレスノードから受信されるTWTセットアップ要求フレームを取得するようにさらに構成され、前記機構が、前記TWTセットアップ要求フレームから前記スリープ持続時間を決定するようにさらに構成される、請求項28に記載の装置。
【請求項３１】
前記機構が、前記TWTの前記タイムスロットの始めに前記スリープモードから起動するようにさらに構成される、請求項28に記載の装置。
【請求項３２】
アクセス端末であって、
ワイヤレスノードからスリープ持続時間の指示を受信するように構成されたトランシーバであって、ターゲット起動時間(TWT)のタイムスロットの間に前記ワイヤレスノードから受信されるTWT信号フレームを取得することであって、前記TWT信号フレームが、前記TWTの前記タイムスロットまたは前記スリープ持続時間のうちの少なくとも1つにおいてどのワイヤレスノードがサービスされることになるか特定するサービスリストを含む、取得することを行うようにさらに構成された、トランシーバと、
機構であって、
前記TWTの前記タイムスロットの間に前記ワイヤレスノードと通信することであって、前記通信が、前記ワイヤレスノードから受信されるデータを取得すること、または送信のためのデータを前記ワイヤレスノードに提供することのうちの少なくとも1つを含む、通信することと、
前記アクセス端末に、前記TWTの前記タイムスロットの間の前記ワイヤレスノードとの前記通信のタイミングに少なくとも部分的に基づいて、前記指示されたスリープ持続時間にわたってスリープモードに入らせることと
を行うように構成された機構とを含み、前記機構が、
前記サービスリストに少なくとも部分的に基づいて、前記サービスリストが前記TWTの前記タイムスロットに対してアクセス端末を含まないと決定し、
前記アクセス端末に、前記TWTの前記タイムスロットの残りにわたって前記スリープモードに入らせる
ようにさらに構成される、アクセス端末。
【請求項３３】
ワイヤレス通信のための装置であって、
ワイヤレスノードから受信されるスリープ持続時間の指示を取得するための手段であって、
ターゲット起動時間(TWT)のタイムスロットの間に前記ワイヤレスノードから受信されるTWT信号フレームを取得するための手段であって、前記TWT信号フレームが、前記TWTの前記タイムスロットまたは前記スリープ持続時間のうちの少なくとも1つにおいてどのワイヤレスノードがサービスされることになるかを特定するサービスリストを含む、取得するための手段をさらに含む、
取得するための手段と、
前記TWTの前記タイムスロットの間に前記ワイヤレスノードと通信するための手段であって、前記通信が、前記ワイヤレスノードから受信されるデータを取得すること、または送信のためのデータを前記ワイヤレスノードに提供することのうちの少なくとも1つを含む、通信するための手段と、
前記TWTの前記タイムスロットの間の前記ワイヤレスノードとの前記通信のタイミングに少なくとも部分的に基づいて、前記指示されたスリープ持続時間にわたってスリープモードに入るための手段であって、
前記サービスリストが前記TWTの前記タイムスロットに対して前記装置を含まないと決定するための手段と、
前記装置が前記TWTの前記タイムスロットの残りにわたって前記スリープモードに入るための手段とをさらに含む、
入るための手段と
を含む、装置。
【請求項３４】
前記ワイヤレスノードから受信される前記スリープ持続時間の前記指示を取得するための前記手段が、
前記ワイヤレスノードから受信されるビーコンフレームを取得するための手段と、
前記ビーコンフレームから前記スリープ持続時間の前記指示を決定するための手段と
をさらに含む、請求項33に記載の装置。
【請求項３５】
前記ワイヤレスノードから受信される前記スリープ持続時間の前記指示を取得するための前記手段が、
前記ワイヤレスノードから受信されるTWTセットアップ要求フレームを取得するための手段と、
前記TWTセットアップ要求フレームから前記スリープ持続時間を決定するための手段と
をさらに含む、請求項33に記載の装置。
【請求項３６】
前記TWTの前記タイムスロットの始めに前記スリープモードから起動するための手段
をさらに含む、請求項33に記載の装置。
【請求項３７】
装置におけるワイヤレス通信のためのコードを記憶したコンピュータ可読記憶媒体であって、前記コードが、前記装置に、
ワイヤレスノードから受信されるスリープ持続時間の指示を取得することであって、
ターゲット起動時間(TWT)のタイムスロットの間に、前記TWTの前記タイムスロットまたは前記スリープ持続時間のうちの少なくとも1つにおいてどのワイヤレスノードがサービスされることになるかを特定するサービスリストを含む、前記ワイヤレスノードから受信されるTWT信号フレームを取得することをさらに含む、
取得することと、
前記TWTの前記タイムスロットの間に前記ワイヤレスノードと通信することであって、前記通信が、前記ワイヤレスノードから受信されるデータを取得すること、または送信のためのデータを前記ワイヤレスノードに提供することのうちの少なくとも1つを含む、通信することと、
前記TWTの前記タイムスロットの間の前記ワイヤレスノードとの前記通信のタイミングに少なくとも部分的に基づいて、前記指示されたスリープ持続時間にわたってスリープモードに入ることであって、
前記サービスリストが前記TWTの前記タイムスロットに対して前記ワイヤレスノードを含まないと決定することと、
前記TWTの前記タイムスロットの残りにわたって前記スリープモードに入ることと
をさらに含む、
入ることと
を行わせるために実行可能な命令を含む、コンピュータ可読記憶媒体。
【国際調査報告】
2018525933.tif 000014
2018525933.tif 000015
2018525933.tif 000016